(57)【要約】【課題】複数の書き込みピッチを切り替えて画像データに補間処理を施して画像記録することである。【解決手段】読み取りピッチの異なる画像生成装置２０Ａ，２０Ｂ，２０Ｃ，画像生成装置としての画像読取装置２０Ｄにより各固有の読み取りピッチにより読み取られた画像データが画像記録装置１０に送信され、画像記録装置１０において、受信した画像データの付帯情報に基づいて書き込みピッチが決定され、当該決定された書き込みピッチにより当該画像データが記録媒体に画像記録される。【選択図】図１
2005102189.tif 000002
【特許請求の範囲】
【請求項１】
画像記録装置と複数の画像生成装置とが接続され、前記画像生成装置から入力された画像データを、前記画像記録装置で記録媒体に画像記録する医用画像記録システムであって、
前記複数の画像生成装置は、画像生成装置別に異なる読み取りピッチにより画像データを生成し、
前記画像生成装置は、
前記画像記録装置と通信する第１の通信部と、
被写体の画像データを生成する画像生成部と、
所定の読み取りピッチにより前記画像生成部に画像データを生成させ、当該画像データの画像記録に用いる書き込みピッチに関連する情報を当該画像データの付帯情報に付加し、当該画像データを前記第１の通信部を介して前記画像記録装置に送信する第１の制御部と、を備え、
前記画像記録装置は、
前記画像生成装置と通信する第２の通信部と、
複数の異なる書き込みピッチで画像記録可能で、当該複数の書き込みピッチのなかから選択された書き込みピッチで記録媒体に画像記録する画像記録部と、
前記第２の通信部を介して前記画像生成装置から画像データを受信し、当該画像データの付帯情報に基づいて、前記複数の書き込みピッチから当該画像データの画像記録に用いる書き込みピッチを決定し、当該決定された書き込みピッチで前記画像データを前記画像記録部に画像記録させる第２の制御部と、を備えることを特徴とする医用画像記録システム。
【請求項２】
画像生成装置と画像記録装置とが接続され、前記画像生成装置から入力された画像データを、前記画像記録装置で記録媒体に画像記録する医用画像記録システムであって、
前記画像生成装置は、
前記画像記録装置と通信する第１の通信部と、
被写体の画像データを生成する画像生成部と、
複数の読み取りピッチから所定の読み取りピッチを決定し、当該読み取りピッチにより前記画像生成部に画像データを生成させ、当該画像データの画像記録に用いる書き込みピッチに関連する情報を当該画像データの付帯情報に付加し、当該画像データを前記第１の通信部を介して前記画像記録装置に送信する第１の制御部と、を備え、
前記画像記録装置は、
前記画像生成装置と通信する第２の通信部と、
複数の異なる書き込みピッチで画像記録可能で、当該複数の書き込みピッチのなかから選択された書き込みピッチで記録媒体に画像記録する画像記録部と、
前記第２の通信部を介して前記画像生成装置から画像データを受信し、当該画像データの付帯情報に基づいて、前記複数の書き込みピッチから当該画像データの画像記録に用いる書き込みピッチを決定し、当該決定された書き込みピッチで前記画像データを前記画像記録部に画像記録させる第２の制御部と、を備えることを特徴とする医用画像記録システム。
【請求項３】
前記第２の制御部は、前記画像生成装置の読み取りピッチが前記画像記録装置の書き込みピッチの整数倍である、読み取りピッチ及び書き込みピッチの組合せが存在する場合に、当該組合せの書き込みピッチを画像データの画像記録に用いる書き込みピッチとして決定することを特徴とする請求項１又は２に記載の医用画像記録システム。
【請求項４】
前記第２の制御部は、生成した画像から記録する画像への補間倍率に基づいて、画像データの画像記録に用いる書き込みピッチを決定することを特徴とする請求項１又は２に記載の医用画像記録システム。
【請求項５】
前記画像生成装置から出力される画像データが被写体を所定の拡大撮影倍率で拡大撮影した画像データである場合において、
前記画像生成装置の読み取りピッチを前記拡大撮影倍率で除した値が前記画像記録装置の書き込みピッチの整数倍である読み取りピッチ及び書き込みピッチの組合せが存在する場合に、前記第２の制御部は、前記組合せの書き込みピッチを前記画像データの画像記録に用いる書き込みピッチとして決定することを特徴とする請求項１又は２に記載の医用画像記録システム。
【請求項６】
前記画像生成装置と前記画像記録装置とが、ネットワークを介して接続されていることを特徴とする請求項１から５のいずれか一項に記載の医用画像記録システム。
【請求項７】
画像生成装置と管理装置と複数の画像記録装置とが接続され、前記画像生成装置から入力された画像データを、前記管理装置で定めた前記画像記録装置に配信し、配信された画像記録装置で記録媒体に画像記録する医用画像記録システムであって、
前記複数の画像記録装置は、画像記録装置別に異なる書き込みピッチにより画像データを記録し、
前記画像生成装置は、
前記画像記録装置と通信する第１の通信部と、
被写体の画像データを生成する画像生成部と、
複数の読み取りピッチから所定の読み取りピッチを決定し、当該読み取りピッチで前記画像生成部に画像データを生成させ、当該画像データの画像記録時に用いる書き込みピッチに関連する情報を当該画像データの付帯情報に付加し、当該画像データを前記第１の通信部を介して前記管理装置に送信する第１の制御部と、を備え、
前記管理装置は、
前記画像生成装置及び前記画像記録装置と通信する管理側通信部と、
前記管理側通信部を介して前記画像生成装置から画像データを受信し、当該画像データの付帯情報に基づいて、複数の書き込みピッチのなかから当該画像データの画像記録に用いる書き込みピッチを決定し、当該決定された書き込みピッチに対応する画像記録装置を決定し、当該決定された画像記録装置に前記管理側通信部を介して前記画像データを送信する管理側制御部と、を備え、
前記画像記録装置は、
前記画像生成装置と通信する第２の通信部と、
所定の書き込みピッチで画像データを記録媒体に画像記録する画像記録部と、
前記第２の通信部を介して前記管理装置から画像データを受信し、所定の書き込みピッチで前記画像データを前記画像記録部に画像記録させる第２の制御部と、を備えることを特徴とする医用画像記録システム。
【請求項８】
前記管理側制御部は、前記画像生成装置の読み取りピッチが前記画像記録装置の書き込みピッチの整数倍である、読み取りピッチ及び書き込みピッチの組合せが存在する場合に、当該組合せの書き込みピッチに対応する画像記録装置を決定することを特徴とする請求項７に記載の医用画像記録システム。
【請求項９】
前記管理側制御部は、生成した画像から記録する画像への補間倍率に基づいて、画像データの画像記録に用いる書き込みピッチを決定し、当該書き込みピッチに対応する画像記録装置を決定することを特徴とする請求項７に記載の医用画像記録システム。
【請求項１０】
前記画像生成装置から出力される画像データが被写体を所定の拡大撮影倍率で拡大撮影した画像データである場合において、
前記画像生成装置の読み取りピッチを前記拡大撮影倍率で除した値が前記画像記録装置の書き込みピッチの整数倍である読み取りピッチ及び書き込みピッチの組合せが存在する場合に、前記管理側制御部は、前記組合せの書き込みピッチに対応する画像記録装置を決定することを特徴とする請求項７に記載の医用画像記録システム。
【請求項１１】
前記画像生成装置と前記管理装置と前記画像記録装置とが、ネットワークを介して接続されていることを特徴とする請求項７から１０のいずれか一項に記載の医用画像記録システム。
【請求項１２】
前記画像生成装置の読み取りピッチが前記画像記録装置の書き込みピッチの整数倍である、読み取りピッチ及び書き込みピッチの組合せが存在することを特徴とする請求項１、２又は７に記載の医用画像記録システム。
【請求項１３】
前記画像生成装置から出力される画像データが被写体を所定の拡大撮影倍率で拡大撮影した画像データである場合において、
前記画像生成装置の読み取りピッチを前記拡大撮影倍率で除した値が前記画像記録装置の書き込みピッチの整数倍である読み取りピッチ及び書き込みピッチの組合せが存在することを特徴とする請求項１、２又は７に記載の医用画像記録システム。
【請求項１４】
前記付帯情報は、被写体の撮影条件を示す撮影条件情報と、画像データの用途を示す情報と、画像データを生成した画像生成装置の読み取りピッチ情報と、画像データの補間倍率情報とのうちの少なくとも一つを含むことを特徴とする請求項１から１３のいずれか一項に記載の医用画像記録システム。
【請求項１５】
前記複数の書き込みピッチは、
Ｐ１＜Ｐ２＜…＜Ｐｎ（ｎ≧２）
である異なる２種類以上の書き込みピッチであり、
ｉ（ｉ＝２，３，…，ｎ）のうちの少なくとも１つにおいて、
１．０＜（Ｐｉ ／Ｐ１）＜１．９
を満たすことを特徴とする請求項１から１４のいずれか一項に記載の医用画像記録システム。
【請求項１６】
少なくとも１つのｉ（ｉ＝２，３，…，ｎ）において、
１．１＜（Ｐｉ ／Ｐ１）＜１．７
を満たすことを特徴とする請求項１５に記載の医用画像記録システム。
【請求項１７】
前記複数の書き込みピッチは、少なくとも３種類であることを特徴とする請求項１から１６のいずれか一項に記載の医用画像記録システム。
【請求項１８】
前記第２の制御部は、前記画像記録部に、前記画像データとともに、当該画像データの画像記録に用いる書き込みピッチを記録媒体に記録させることを特徴とする請求項１から１７のいずれか一項に記載の医用画像記録システム。
【請求項１９】
前記画像記録部は、熱銀塩方式により画像データを記録媒体に記録することを特徴とする請求項１から１８のいずれか一項に記載の医用画像記録システム。
【請求項２０】
前記画像生成装置から出力される画像データは、乳房を所定の拡大撮影倍率で撮影した画像データであることを特徴とする請求項５、１０、又は１３に記載の医用画像記録システム。
【発明の詳細な説明】
【技術分野】
【０００１】
本発明は、記録媒体に医用画像を記録する医用画像記録システムに関する。
【背景技術】
【０００２】
近年、銀塩感光材料からなる放射線写真フィルムを使用しないで医用放射線画像情報を得る方法が工夫されるようになった。例えば、輝尽性蛍光体を主体とするイメージングプレートを用い、放射線画像を一旦蓄積後、励起光を用いて輝尽発光光として取り出し、この光を光電変換することによって画像信号を得る放射線画像読取装置（Computed Radiography、以後ＣＲと略す）が普及してきている。
また、最近では、放射線蛍光体や放射線光導電体とＴＦＴスイッチング素子などの２次元半導体検出器を組み合わせて放射線画像情報を読み取る装置（Flat Panel Detector、
以後ＦＰＤと略す）も提案されている。
【０００３】
これらの医用画像を診断する際には、透過記録媒体及び反射記録媒体の少なくとも一方に画像情報を記録してハードコピーの形で観察する方法が多く用いられている。医用画像情報を記録媒体に記録する画像記録装置としては、銀塩記録材料を用いた透過記録媒体上にレーザ露光することによって画像を記録する方式がよく用いられている。この方式によれば、モノクロ多階調の画像を優れた階調性で描写できるとともに透過記録媒体に記録して透過光で観察することによって高い診断性能が得られる。
【０００４】
画像記録装置に関しても、種々の方式が開発されており、従来の湿式処理を必要とする銀塩記録材料を用いる以外に、サーマルヘッドやヒートモードレーザを用いる感熱記録装置、感光性熱現象記録材料や感光熱記録材料を用いて感光熱発色画像記録を行う装置も知られている。
【０００５】
ＣＲやＦＰＤによって得られた画像データを用いて画像記録を行う画像記録装置も種々開発されてきている。ＣＲやＦＰＤによって読み取られた画像は、従来の単純Ｘ線撮影の習慣から被写体である患部と等しい大きさ（以後、ライフサイズという）で出力することが要求されることが多い。
ここで、患部とライフサイズの画像を出力する際に、ＣＲによる画像読み取りの画素サイズと、診断画像をハードコピーして出力する画像記録装置における記録画素サイズとが異なる場合には、補間拡大処理が必要となる。例えば、読み取り画素サイズが８７．５［μｍ］で、画像記録装置における記録画素サイズが８０［μｍ］である場合には、ライフサイズの画像を出力するためには、約１．１０９倍の補間拡大処理が必要となる。
【０００６】
一般的にスプライン補間などによってこのような非整数倍の補間拡大処理を行うと、画像の周波数特性が劣化して、その結果、画像の鮮鋭度が劣化してしまうため、診断画像としては好ましくない。また、レプリケーションで非整数倍の補間拡大処理を行うと、画像の歪みがはっきりと視認されてしまうため、やはり診断画像としては好ましくない。
【０００７】
また、ハードコピー時の記録画素サイズ（書き込みピッチ）が、装置に内蔵のサーマルヘッド分解能で一義的に決まる感熱（サーマル）記録方式で、読取画素サイズ（読み取りピッチ）と記録画素サイズ（書き込みピッチ）とを整数倍の関係にする構成が考えられている（例えば、特許文献１参照）。
【０００８】
これとは別に、複数の画像信号源から入力される画像信号を画像記録装置で画像記録するにあたり、γ特性の異なる複数の画像信号源に対応するγ補正テーブルを記憶し、識別番号の指定により画像信号源に対応するγ補正テーブルを設定し、当該画像γ補正テーブルを用いて画像信号を記録する構成が考えられている（例えば特許文献２参照）。
【特許文献１】特開２０００−３３２９９３号公報
【特許文献２】特開平２−６６６２３号公報
【発明の開示】
【発明が解決しようとする課題】
【０００９】
最近は複数のＣＲ装置やＦＰＤ装置と画像記録装置がネットワークで接続されてシステムが構成され、当該システムが設けられた病院内に読み取りピッチが異なる画像データが混在する状況が発生している。しかし、特許文献１に記載の画像記録装置では、複数の書き込みピッチを切り替えることができず、複数の異なる読み取りピッチの画像を画像劣化なしにライフサイズ出力することができなかった。
【００１０】
また、特許文献２に記載の画像記録装置では、画像データに、当該画像データを生成した画像生成装置に対応するγ補正を施して画像記録する方法が開示されているが、記録画素サイズ（書き込みピッチ）に関する開示は無い。
【００１１】
本発明の課題は、複数の書き込みピッチを切り替えて画像データに補間処理を施して画像記録することである。
【課題を解決するための手段】
【００１２】
上記の課題を解決するために、請求項１に記載の発明は、
画像記録装置と複数の画像生成装置とが接続され、前記画像生成装置から入力された画像データを、前記画像記録装置で記録媒体に画像記録する医用画像記録システムであって、
前記複数の画像生成装置は、画像生成装置別に異なる読み取りピッチにより画像データを生成し、
前記画像生成装置は、
前記画像記録装置と通信する第１の通信部と、
被写体の画像データを生成する画像生成部と、
所定の読み取りピッチにより前記画像生成部に画像データを生成させ、当該画像データの画像記録に用いる書き込みピッチに関連する情報を当該画像データの付帯情報に付加し、当該画像データを前記第１の通信部を介して前記画像記録装置に送信する第１の制御部と、を備え、
前記画像記録装置は、
前記画像生成装置と通信する第２の通信部と、
複数の異なる書き込みピッチで画像記録可能で、当該複数の書き込みピッチのなかから選択された書き込みピッチで記録媒体に画像記録する画像記録部と、
前記第２の通信部を介して前記画像生成装置から画像データを受信し、当該画像データの付帯情報に基づいて、前記複数の書き込みピッチから当該画像データの画像記録に用いる書き込みピッチを決定し、当該決定された書き込みピッチで前記画像データを前記画像記録部に画像記録させる第２の制御部と、を備えることを特徴とする。
【００１３】
請求項１に記載の発明によれば、画像記録装置において、複数の画像生成装置から受信した画像データの付帯情報に基づいて当該画像データの画像記録に用いる書き込みピッチを決定して、当該書き込みピッチにより画像データを補間して記録媒体に画像記録するので、複数の画像生成装置で生成された画像データを、複数の書き込みピッチのうちの付帯情報に応じた好適な書き込みピッチにより画質劣化を低減して画像記録することができる。
【００１４】
請求項２に記載の発明は、
画像生成装置と画像記録装置とが接続され、前記画像生成装置から入力された画像データを、前記画像記録装置で記録媒体に画像記録する医用画像記録システムであって、
前記画像生成装置は、
前記画像記録装置と通信する第１の通信部と、
被写体の画像データを生成する画像生成部と、
複数の読み取りピッチから所定の読み取りピッチを決定し、当該読み取りピッチにより前記画像生成部に画像データを生成させ、当該画像データの画像記録に用いる書き込みピッチに関連する情報を当該画像データの付帯情報に付加し、当該画像データを前記第１の通信部を介して前記画像記録装置に送信する第１の制御部と、を備え、
前記画像記録装置は、
前記画像生成装置と通信する第２の通信部と、
複数の異なる書き込みピッチで画像記録可能で、当該複数の書き込みピッチのなかから選択された書き込みピッチで記録媒体に画像記録する画像記録部と、
前記第２の通信部を介して前記画像生成装置から画像データを受信し、当該画像データの付帯情報に基づいて、前記複数の書き込みピッチから当該画像データの画像記録に用いる書き込みピッチを決定し、当該決定された書き込みピッチで前記画像データを前記画像記録部に画像記録させる第２の制御部と、を備えることを特徴とする。
【００１５】
請求項２に記載の発明によれば、画像生成装置において、複数の読み取りピッチから所定の読み取りピッチを決定し、当該読み取りピッチより画像データを生成し、当該画像データに付帯情報を付加し、画像記録装置において、画像生成装置から受信した画像データの付帯情報に基づいて当該画像データの画像記録に用いる書き込みピッチを決定して、当該決定された書き込みピッチにより画像データを補間して記録媒体に画像記録するので、複数の読み取りピッチを用いる画像生成装置で生成された画像データを、複数の書き込みピッチのうちの付帯情報に応じた好適な書き込みピッチにより画質劣化を低減して画像記録することができる。
【００１６】
請求項３に記載の発明は、請求項１又は２に記載の医用画像記録システムにおいて、
前記第２の制御部は、前記画像生成装置の読み取りピッチが前記画像記録装置の書き込みピッチの整数倍である、読み取りピッチ及び書き込みピッチの組合せが存在する場合に、当該組合せの書き込みピッチを画像データの画像記録に用いる書き込みピッチとして決定することを特徴とする。
【００１７】
請求項３に記載の発明によれば、画像生成装置の読み取りピッチが画像記録装置の書き込みピッチの整数倍である組合せが存在する場合に、当該組合せの書き込みピッチを画像データの画像記録に用いる書き込みピッチとして決定するので、複数の書き込みピッチのうちの、当該組合せに合ったさらに好適な書き込みピッチにより画質劣化を低減して画像記録することができる。
【００１８】
請求項４に記載の発明は、請求項１又は２に記載の医用画像記録システムにおいて、
前記第２の制御部は、生成した画像から記録する画像への補間倍率に基づいて、画像データの画像記録に用いる書き込みピッチを決定することを特徴とする。
【００１９】
請求項４に記載の発明によれば、補間倍率に基づいて、画像データの画像記録に用いる書き込みピッチを決定するので、複数の書き込みピッチのうちの、補間倍率に基づく好適な書き込みピッチにより画質劣化を低減して画像記録することができる。
【００２０】
請求項５に記載の発明は、請求項１又は２に記載の医用画像記録システムにおいて、
前記画像生成装置から出力される画像データが被写体を所定の拡大撮影倍率で拡大撮影した画像データである場合において、前記画像生成装置の読み取りピッチを前記拡大撮影倍率で除した値が前記画像記録装置の書き込みピッチの整数倍である読み取りピッチ及び書き込みピッチの組合せが存在する場合に、前記第２の制御部は、前記組合せの書き込みピッチを前記画像データの画像記録に用いる書き込みピッチとして決定することを特徴とする。
【００２１】
請求項５に記載の発明によれば、画像生成装置から出力される画像データが被写体を所定の拡大撮影倍率で拡大撮影した画像データである場合において、画像生成装置の読み取りピッチを拡大撮影倍率で除した値が画像記録装置の書き込みピッチの整数倍である読み取りピッチ及び書き込みピッチの組合せが存在する場合に、その組合せの書き込みピッチを画像データの画像記録に用いる書き込みピッチとして決定するので、拡大撮影した画像をライフサイズで記録する場合に画像劣化のない、好適な書き込みピッチで画像記録することができる。
【００２２】
請求項６に記載の発明は、請求項１から５のいずれか一項に記載の画像記録システムにおいて、
前記画像生成装置と前記画像記録装置とが、ネットワークを介して接続されていることを特徴とする。
【００２３】
請求項６に記載の発明によれば、画像生成装置と画像記録装置とが、ネットワークを介して接続されているので、好適かつ多様な通信接続構成をとることができる。
【００２４】
請求項７に記載の発明は、
画像生成装置と管理装置と複数の画像記録装置とが接続され、前記画像生成装置から入力された画像データを、前記管理装置で定めた前記画像記録装置に配信し、配信された画像記録装置で記録媒体に画像記録する医用画像記録システムであって、
前記複数の画像記録装置は、画像記録装置別に異なる書き込みピッチにより画像データを記録し、
前記画像生成装置は、
前記画像記録装置と通信する第１の通信部と、
被写体の画像データを生成する画像生成部と、
複数の読み取りピッチから所定の読み取りピッチを決定し、当該読み取りピッチで前記画像生成部に画像データを生成させ、当該画像データの画像記録時に用いる書き込みピッチに関連する情報を当該画像データの付帯情報に付加し、当該画像データを前記第１の通信部を介して前記管理装置に送信する第１の制御部と、を備え、
前記管理装置は、
前記画像生成装置及び前記画像記録装置と通信する管理側通信部と、
前記管理側通信部を介して前記画像生成装置から画像データを受信し、当該画像データの付帯情報に基づいて、複数の書き込みピッチのなかから当該画像データの画像記録に用いる書き込みピッチを決定し、当該決定された書き込みピッチに対応する画像記録装置を決定し、当該決定された画像記録装置に前記管理側通信部を介して前記画像データを送信する管理側制御部と、を備え、
前記画像記録装置は、
前記画像生成装置と通信する第２の通信部と、
所定の書き込みピッチで画像データを記録媒体に画像記録する画像記録部と、
前記第２の通信部を介して前記管理装置から画像データを受信し、所定の書き込みピッチで前記画像データを前記画像記録部に画像記録させる第２の制御部と、を備えることを特徴とする。
【００２５】
請求項７に記載の発明によれば、画像生成装置において、所定の読み取りピッチより画像データを生成し、当該画像データに付帯情報を付加し、管理装置において、画像生成装置から受信した画像データの付帯情報に基づいて画像データの画像記録に用いる書き込みピッチを決定して、当該書き込みピッチに対応する画像記録装置に画像データを送信し、画像記録装置において、管理装置から受信した画像データを所定の書き込みピッチにより補間して記録媒体に画像記録するので、複数の読み取りピッチを用いる画像生成装置で生成された画像データを、複数の画像記録装置のうちの付帯情報に応じた好適な書き込みピッチの画像記録装置において、所定の書き込みピッチにより画質劣化を低減して画像記録することができる。
【００２６】
請求項８に記載の発明は、請求項７に記載の医用画像記録システムにおいて、
前記管理側制御部は、前記画像生成装置の読み取りピッチが前記画像記録装置の書き込みピッチの整数倍である、読み取りピッチ及び書き込みピッチの組合せが存在する場合に、当該組合せの書き込みピッチに対応する画像記録装置を決定することを特徴とする。
【００２７】
請求項８に記載の発明によれば、画像生成装置の読み取りピッチが画像記録装置の書き込みピッチの整数倍である組合せが存在する場合に、当該組合せの書き込みピッチに対応する画像記録装置を決定するので、複数の書き込みピッチのうちの、当該組合せに合ったさらに好適な書き込みピッチにより画質劣化を低減して画像記録することができる。
【００２８】
請求項９に記載の発明は、請求項７に記載の医用画像記録システムにおいて、
前記管理側制御部は、生成した画像から記録する画像への補間倍率に基づいて、画像データの画像記録に用いる書き込みピッチを決定し、当該書き込みピッチに対応する画像記録装置を決定することを特徴とする。
【００２９】
請求項９に記載の発明によれば、補間倍率に基づいて画像データの画像記録に用いる書き込みピッチに対応する画像記録装置を決定するので、複数の書き込みピッチのうちの、補間倍率に基づく好適な書き込みピッチにより画質劣化を低減して画像記録することができる。
【００３０】
請求項１０に記載の発明は、請求項７に記載の医用画像記録システムにおいて、
前記画像生成装置から出力される画像データが被写体を所定の拡大撮影倍率で拡大撮影した画像データである場合において、前記画像生成装置の読み取りピッチを前記拡大撮影倍率で除した値が前記画像記録装置の書き込みピッチの整数倍である読み取りピッチ及び書き込みピッチの組合せが存在する場合に、前記管理側制御部は、前記組合せの書き込みピッチに対応する画像記録装置を決定することを特徴とする。
【００３１】
請求項１０に記載の発明によれば、画像生成装置から出力される画像データが被写体を所定の拡大撮影倍率で拡大撮影した画像データである場合において、画像生成装置の読み取りピッチを拡大撮影倍率で除した値が画像記録装置の書き込みピッチの整数倍である読み取りピッチ及び書き込みピッチの組合せが存在する場合に、その組合せの書き込みピッチに対応する画像記録装置を決定するので、拡大撮影した画像をライフサイズで記録する場合に画像劣化のない、好適な書き込みピッチで画像記録することができる。
【００３２】
請求項１１に記載の発明は、請求項７から１０のいずれか一項に記載の医用画像記録システムにおいて、
前記画像生成装置と前記画像記録装置とが、ネットワークを介して接続されていることを特徴とする。
【００３３】
請求項１１に記載の発明によれば、画像生成装置と画像記録装置とが、ネットワークを介して接続されているので、好適かつ多様な通信接続構成をとることができる。
【００３４】
請求項１２に記載の発明は、請求項１、２又は７に記載の医用画像記録システムにおいて、
前記画像生成装置の読み取りピッチが前記画像記録装置の書き込みピッチの整数倍である、読み取りピッチ及び書き込みピッチの組合せが存在することを特徴とする。
【００３５】
請求項１２に記載の発明によれば、画像生成装置の読み取りピッチが画像記録装置の書き込みピッチの整数倍である組合せが存在するので、当該組合せの書き込みピッチを決定し、複数の書き込みピッチのうちのさらに好適な書き込みピッチにより画質劣化を低減して画像データを画像記録することができる。
【００３６】
請求項１３に記載の発明は、請求項１、２又は７に記載の医用画像記録システムにおいて、
前記画像生成装置から出力される画像データが被写体を所定の拡大撮影倍率で拡大撮影した画像データである場合において、前記画像生成装置の読み取りピッチを前記拡大撮影倍率で除した値が前記画像記録装置の書き込みピッチの整数倍である読み取りピッチ及び書き込みピッチの組合せが存在することを特徴とする。
【００３７】
請求項１３に記載の発明によれば、画像生成装置から出力される画像データが被写体を所定の拡大撮影倍率で拡大撮影した画像データである場合において、画像生成装置の読み取りピッチを拡大撮影倍率で除した値が画像記録装置の書き込みピッチの整数倍である読み取りピッチ及び書き込みピッチの組合せが存在するので、その組合せの書き込みピッチを画像データの画像記録に用いる書き込みピッチとして決定することで、拡大撮影した画像をライフサイズで記録する場合に画像劣化のない、好適な書き込みピッチで画像記録することができる。
【００３８】
請求項１４に記載の発明は、請求項１から１３のいずれか一項に記載の医用画像記録システムにおいて、
前記付帯情報は、被写体の撮影条件を示す撮影条件情報と、画像データの用途を示す情報と、画像データを生成した画像生成装置の読み取りピッチ情報と、画像データの補間倍率情報とのうちの少なくとも一つを含むことを特徴とする。
【００３９】
請求項１４に記載の発明によれば、付帯情報が、撮影条件情報と、画像データの用途を示す情報と、画像生成装置の読み取りピッチ情報と、画像データの補間倍率情報とのうちの少なくとも一つを含むので、撮影条件、画像データの用途、読み取りピッチ、補間倍率のうちの少なくとも一つに応じた好適な書き込みピッチを決定できる。
【００４０】
請求項１５に記載の発明は、請求項１から１４のいずれか一項に記載の医用画像記録システムにおいて、
前記複数の書き込みピッチは、
Ｐ１＜Ｐ２＜…＜Ｐｎ（ｎ≧２）
である異なる２種類以上の書き込みピッチであり、
ｉ（ｉ＝２，３，…，ｎ）のうちの少なくとも１つにおいて、
１．０＜（Ｐｉ ／Ｐ１）＜１．９
を満たすことを特徴とする。
【００４１】
請求項１５に記載の発明によれば、複数の書き込みピッチのうちの少なくとも一つが１．０＜（Ｐｉ ／Ｐ１）＜１．９を満たすので、最小書き込みピッチＰ１で画質劣化が起
こる場合でも、他の書き込みピッチＰｉを用いて画質劣化を低減して画像データを補間することができる。
【００４２】
請求項１６に記載の発明は、請求項１５に記載の医用画像記録システムにおいて、
少なくとも１つのｉ（ｉ＝２，３，…，ｎ）において、
１．１＜（Ｐｉ ／Ｐ１）＜１．７
を満たすことを特徴とする。
【００４３】
請求項１６に記載の発明によれば、複数の書き込みピッチのうちの少なくとも一つが１．１＜（Ｐｉ ／Ｐ１）＜１．８を満たすので、最小書き込みピッチＰ１で画質劣化が起
こる場合でも、なるべく補間倍率範囲を重複しないようにして、他の書き込みピッチＰｉを用いて画質劣化を低減して画像データを補間することができる。
【００４４】
請求項１７に記載の発明は、請求項１から１６のいずれか一項に記載の医用画像記録システムにおいて、
前記複数の書き込みピッチは、少なくとも３種類であることを特徴とする。
【００４５】
請求項１７に記載の発明によれば、複数の書き込みピッチが少なくとも３種類であるので、複数の書き込みピッチが少なくとも３種類であるので、広範囲の読み取りピッチに対応する画像データに対しても、好適な書き込みピッチにより画質の劣化を低減して補間することができる。
【００４６】
請求項１８に記載の発明は、請求項１から１７のいずれか一項に記載の医用画像記録システムにおいて、
前記第２の制御部は、前記画像記録部に、前記画像データとともに、当該画像データの画像記録に用いる書き込みピッチを記録媒体に記録させることを特徴とする。
【００４７】
請求項１８に記載の発明によれば、画像データとともに書き込みピッチを記録媒体に記録するので、記録媒体上の記録画像の観察者が読み取りピッチを確認することができる。
【００４８】
請求項１９に記載の発明は、請求項１から１８のいずれか一項に記載の医用画像記録システムにおいて、
前記画像記録部は、熱銀塩方式により画像データを記録媒体に記録することを特徴とする。
【００４９】
請求項１９に記載の発明によれば、光熱銀塩方式により画像データを記録媒体に記録するので、診断に耐えうる医用画像を記録することができる。
【００５０】
請求項２０に記載の発明は、請求項５、１０、又は１３に記載の医用画像記録システムにおいて、
前記画像生成装置から出力される画像データは、乳房を所定の拡大撮影倍率で撮影した画像データであることを特徴とする。
【００５１】
請求項２０に記載の発明によれば、乳房を拡大撮影した画像データをライフサイズで記録する場合に画像劣化のない、好適な書き込みピッチで画像記録することができる。更に、拡大撮影した画像データをライフサイズで記録することにより、画像生成装置の読み取りピッチが拡大撮影率分小さくなったのと同様の効果が得られるので、より高精細な乳房画像を提供することが可能となる。
【発明の効果】
【００５２】
請求項１に記載の発明によれば、画像記録装置において、複数の画像生成装置から受信した画像データの付帯情報に基づいて当該画像データの画像記録に用いる書き込みピッチを決定して、当該書き込みピッチにより画像データを補間して記録媒体に画像記録するので、複数の画像生成装置で生成された画像データを、複数の書き込みピッチのうちの付帯情報に応じた好適な書き込みピッチにより画質劣化を低減して画像記録することができる。
【００５３】
請求項２に記載の発明によれば、画像生成装置において、複数の読み取りピッチから所定の読み取りピッチを決定し、当該読み取りピッチより画像データを生成し、当該画像データに付帯情報を付加し、画像記録装置において、画像生成装置から受信した画像データの付帯情報に基づいて当該画像データの画像記録に用いる書き込みピッチを決定して、当該書き込みピッチにより画像データを補間して記録媒体に画像記録するので、複数の読み取りピッチを用いる画像生成装置で生成された画像データを、複数の書き込みピッチのうちの付帯情報に応じた好適な書き込みピッチにより画質劣化を低減して画像記録することができる。
【００５４】
請求項３に記載の発明によれば、画像生成装置の読み取りピッチが画像記録装置の書き込みピッチの整数倍である組合せが存在する場合に、当該組合せの書き込みピッチを画像データの画像記録に用いる書き込みピッチとして決定するので、複数の書き込みピッチのうちの、当該組合せに合ったさらに好適な書き込みピッチにより画質劣化を低減して画像記録することができる。
【００５５】
請求項４に記載の発明によれば、補間倍率に基づいて、画像データの画像記録に用いる書き込みピッチを決定するので、複数の書き込みピッチのうちの、補間倍率に基づく好適な書き込みピッチにより画質劣化を低減して画像記録することができる。
【００５６】
請求項５に記載の発明によれば、画像生成装置から出力される画像データが被写体を所定の拡大撮影倍率で拡大撮影した画像データである場合において、画像生成装置の読み取りピッチを拡大撮影倍率で除した値が画像記録装置の書き込みピッチの整数倍である読み取りピッチ及び書き込みピッチの組合せが存在する場合に、その組合せの書き込みピッチを画像データの画像記録に用いる書き込みピッチとして決定するので、拡大撮影した画像をライフサイズで記録する場合に画像劣化のない、好適な書き込みピッチで画像記録することができる。
【００５７】
請求項６に記載の発明によれば、画像生成装置と画像記録装置とが、ネットワークを介して接続されているので、好適かつ多様な通信接続構成をとることができる。
【００５８】
請求項７に記載の発明によれば、画像生成装置において、所定の読み取りピッチより画像データを生成し、当該画像データに付帯情報を付加し、管理装置において、画像生成装置から受信した画像データの付帯情報に基づいて画像データの画像記録に用いる書き込みピッチを決定して、当該書き込みピッチに対応する画像記録装置に画像データを送信し、画像記録装置において、管理装置から受信した画像データを所定の書き込みピッチにより補間して記録媒体に画像記録するので、複数の読み取りピッチを用いる画像生成装置で生成された画像データを、複数の画像記録装置のうちの付帯情報に応じた好適な書き込みピッチの画像記録装置において、所定の書き込みピッチにより画質劣化を低減して画像記録することができる。
【００５９】
請求項８に記載の発明によれば、画像生成装置の読み取りピッチが画像記録装置の書き込みピッチの整数倍である組合せが存在する場合に、当該組合せの書き込みピッチに対応する画像記録装置を決定するので、複数の書き込みピッチのうちの、当該組合せに合ったさらに好適な書き込みピッチにより画質劣化を低減して画像記録することができる。
【００６０】
請求項９に記載の発明によれば、補間倍率に基づいて画像データの画像記録に用いる書き込みピッチに対応する画像記録装置を決定するので、複数の書き込みピッチのうちの、補間倍率に基づく好適な書き込みピッチにより画質劣化を低減して画像記録することができる。
【００６１】
請求項１０に記載の発明によれば、画像生成装置から出力される画像データが被写体を所定の拡大撮影倍率で拡大撮影した画像データである場合において、画像生成装置の読み取りピッチを拡大撮影倍率で除した値が画像記録装置の書き込みピッチの整数倍である読み取りピッチ及び書き込みピッチの組合せが存在する場合に、その組合せの書き込みピッチに対応する画像記録装置を決定するので、拡大撮影した画像をライフサイズで記録する場合に画像劣化のない、好適な書き込みピッチで画像記録することができる。
【００６２】
請求項１１に記載の発明によれば、画像生成装置と画像記録装置とが、ネットワークを介して接続されているので、好適かつ多様な通信接続構成をとることができる。
【００６３】
請求項１２に記載の発明によれば、画像生成装置の読み取りピッチが画像記録装置の書き込みピッチの整数倍である組合せが存在するので、当該組合せの書き込みピッチを決定し、複数の書き込みピッチのうちのさらに好適な書き込みピッチにより画質劣化を低減して画像データを画像記録することができる。
【００６４】
請求項１３に記載の発明によれば、画像生成装置から出力される画像データが被写体を所定の拡大撮影倍率で拡大撮影した画像データである場合において、画像生成装置の読み取りピッチを拡大撮影倍率で除した値が画像記録装置の書き込みピッチの整数倍である読み取りピッチ及び書き込みピッチの組合せが存在するので、その組合せの書き込みピッチを画像データの画像記録に用いる書き込みピッチとして決定することで、拡大撮影した画像をライフサイズで記録する場合に画像劣化のない、好適な書き込みピッチで画像記録することができる。
【００６５】
請求項１４に記載の発明によれば、付帯情報が、撮影条件情報と、画像データの用途を示す情報と、画像生成装置の読み取りピッチ情報と、画像データの補間倍率情報とのうちの少なくとも一つを含むので、撮影条件、画像データの用途、読み取りピッチ、補間倍率のうちの少なくとも一つに応じた好適な書き込みピッチを決定できる。
【００６６】
請求項１５に記載の発明によれば、複数の書き込みピッチのうちの少なくとも一つが１．０＜（Ｐｉ ／Ｐ１）＜１．９を満たすので、最小書き込みピッチＰ１で画質劣化が起
こる場合でも、他の書き込みピッチＰｉを用いて画質劣化を低減して画像データを補間することができる。
【００６７】
請求項１６に記載の発明によれば、複数の書き込みピッチのうちの少なくとも一つが１．１＜（Ｐｉ ／Ｐ１）＜１．８を満たすので、最小書き込みピッチＰ１で画質劣化が起
こる場合でも、なるべく補間倍率範囲を重複しないようにして、他の書き込みピッチＰｉを用いて画質劣化を低減して画像データを補間することができる。
【００６８】
請求項１７に記載の発明によれば、複数の書き込みピッチが少なくとも３種類であるので、複数の書き込みピッチが少なくとも３種類であるので、広範囲の読み取りピッチに対応する画像データに対しても、好適な書き込みピッチにより画質の劣化を低減して補間することができる。
【００６９】
請求項１８に記載の発明によれば、画像データとともに書き込みピッチを記録媒体に記録するので、記録媒体上の記録画像の観察者が読み取りピッチを確認することができる。
【００７０】
請求項１９に記載の発明によれば、光熱銀塩方式により画像データを記録媒体に記録するので、診断に耐えうる医用画像を記録することができる。
【００７１】
請求項２０に記載の発明によれば、乳房を拡大撮影した画像データをライフサイズで記録する場合に画像劣化のない、好適な書き込みピッチで画像記録することができる。更に、拡大撮影した画像データをライフサイズで記録することにより、画像生成装置の読み取りピッチが拡大撮影率分小さくなったのと同様の効果が得られるので、より高精細な乳房画像を提供することが可能となる。
【発明を実施するための最良の形態】
【００７２】
以下、図面を参照して本発明に係る第１、第２及び第３の実施の形態を順に説明する。ただし、発明の範囲は、図示例に限定されない。
【００７３】
（第１の実施の形態）
図１〜図１５を参照して本発明に係る第１の実施の形態を説明する。先ず、図１〜図３を参照して、本実施の形態の装置構成を説明する。図１に、本実施の形態の医用画像記録システム１００のブロック構成を示す。図２に、画像記録装置１０の内部のブロック構成を示す。図３に、画像生成装置２０Ａの内部のブロック構成を示す。
【００７４】
図１に示す医用画像記録システム１００は、例えば、病院、医療施設などに設けられて、患者の患部を撮影した画像データを記録媒体に記録するシステムである。図１に示すように、本実施の形態の医用画像記録システム１００は、画像記録装置１０と、画像生成装置２０Ａ，２０Ｂ，２０Ｃと、ＣＲネットワーク部３０Ａと、ＲＩＳ（Radiography information system）／ＨＩＳ（Hospital information system）４０と、ＤＩＣＯＭ変換部５０と、を備える。また、画像記録装置１０、画像生成装置２０Ａ，２０Ｃ、ＣＲネットワーク部３０Ａ、ＲＩＳ／ＨＩＳ４０及びＤＩＣＯＭ変換部５０は、ネットワークバス６０に通信接続される。
【００７５】
画像生成装置２０Ａは、医用画像と通信との標準規格としてのＤＩＣＯＭ（Digital Imaging and Communication in Medicine）対応の、ＣＴ（Computerized Tomography；コンピュータ断層撮影法）撮影を行う画像生成装置である。画像生成装置２０Ａは、患者の患部の画像データをＣＴ撮影して読み取り画素サイズ（読み取りピッチ）８７．５［μｍ］で読み取り、当該画像データに付帯情報を付加して、ＤＩＣＯＭ対応データ形式で画像データを画像記録装置１０に送信する。
【００７６】
画像生成装置２０Ｂは、ＭＲＩ（Magnetic Resonance Imaging；核磁気共鳴映像法）撮影を行うＤＩＣＯＭ非対応の画像生成装置である。画像生成装置２０Ｂは、患者の患部の画像データをＭＲＩ撮影して読み取りピッチ８７．５［μｍ］で読み取る。
【００７７】
ＤＩＣＯＭ変換部５０は、画像生成装置２０Ｂにより入力された画像データに患者ＩＤ情報、撮影条件情報などの付帯情報を付加し、ＤＩＣＯＭ対応データ形式に変換し、通信ネットワークに接続された他の機器へ送信する。
【００７８】
画像生成装置２０Ｃは、乳房撮影専用でＤＩＣＯＭ対応の画像生成装置である。画像生成装置２０Ｃは、患者の乳房の画像データを撮影して読み取りピッチ５０［μｍ］で読み取り、当該画像データに付帯情報を付加して、ＤＩＣＯＭ対応データ形式で画像データを画像記録装置１０に送信する。
【００７９】
マンモ画像（マンモグラフィ）は、微少石灰化などの病巣の特徴及び観察方式（読影方式）から、一般に高濃度・高精細にフィルム出力される。
【００８０】
ＣＲネットワーク部３０Ａは、画像読取装置２０Ｄと、ＲＩＳ／ＨＩＳ４０などから撮影／検査オーダ情報を取得し、当該検査オーダ情報と、使用するカセッテＩＤ，撮影条件，画像処理条件などとを関連付け、患者撮影した画像を確認可能な少なくとも１個のＷＳ（Work Station）３３と、画像読取装置２０Ｄで読み取られた画像の配信先となるＷＳの決定や、画像読取装置２０Ｄの制御条件などの配信を行うＪＯＢマネージャ３１とから構成される。
【００８１】
画像読取装置２０Ｄは、立位ＣＲ撮影を行う画像読取装置である。画像読取装置２０Ｄは、立位の患者の患部の画像データを読み取りピッチ８７．５［μｍ］で読み取り、読み取られた画像データをＷＳ３３へ送信し、ＷＳ３３で表示・確認後、ＷＳ３３は当該画像データに付帯情報を付加して、ＤＩＣＯＭ対応データ形式で画像データを画像記録装置１０に送信する。
このように、画像読取装置２０Ｄと、ＷＳ３３との組合せにより、付帯情報を含む画像データを生成する画像生成装置としての機能が実現される。
【００８２】
画像記録装置１０は、画像読取装置２０Ｄを含む画像生成装置からの画像データを受信して、当該画像データを記録媒体に記録する。図２に示すように、画像記録装置１０は、各部を中央制御するＣＰＵ１１と、操作者の操作入力を受付ける操作部１２と、データを一時的に格納するＲＡＭ１３と、データを表示する表示部１４と、データを記憶する記憶部１５と、外部機器との通信を行う通信部１６と、画像データを記録媒体に記録する画像記録部１７とを備えて構成され、各部がバス１８により接続される。
【００８３】
ＣＰＵ１１は、記憶部１５に記憶されている各種プログラムの中から指定されたプログラムを読み出してＲＡＭ１３のワークエリアに展開し、ＲＡＭ１３上のプログラムとの協働により各種制御を実行する。この構成における各種制御の主体を制御部１１１とする。
【００８４】
操作部１２は、数字キーや各種機能キーを備える。そして、これらのキーが押下された場合には、その押下信号をＣＰＵ１１へ出力する。なお、この操作部１２は、表示部１４と一体となったタッチパネルにより構成されることとしてもよい。表示部１４は、ＬＣＤ（Liquid Crystal Display）などで構成され、ＣＰＵ１１からの表示信号に従って、画面表示を行う。
【００８５】
ＲＡＭ１３は、プログラムを展開するためのプログラムエリア、操作部１２から入力されるデータやＣＰＵ１１による各種処理結果などを一時保存するためのデータエリアなどが形成される。ＲＡＭ１３は、読み書き可能な半導体素子で構成される。記憶部１５は、ＲＯＭ、ＦＲＯＭ、ＨＤＤ（Hard Disk Drive）などにより構成され、各種プログラムや各種データ、画像データなどを記憶する。本実施の形態において、記憶部１５には、第１の画像記録プログラムが記憶される。
【００８６】
通信部１６は、ネットワークバス６０と接続され、ネットワークバス６０を含む通信ネットワーク上の外部機器と通信をするネットワークカードなどにより構成される。通信ネットワークには、ＲＩＳ／ＨＩＳ４０が接続されるが、他のＬＡＮ（Local Area Network）、ＷＡＮ（Wide Area Network）などを含む構成でもよい。
【００８７】
画像記録部１７は、通信部１６を介して画像生成装置２０Ａ，２０Ｂ，２０Ｃ，画像読取装置２０Ｄから受信された画像データを、光熱銀塩方式で、書き込みピッチ２５［μｍ］又は４３．７５［μｍ］により記録媒体上に記録する。高精細が要求されるマンモ画像には、書き込みピッチ２５［μｍ］により画像記録し、一般撮影画像には、書き込みピッチ４３．７５［μｍ］により画像記録する。
【００８８】
また、画像記録部１７は、複数種類（サイズ、記録可能濃度範囲）の記録媒体を別々に記録するための複数のトレイを設け、記録する書き込みピッチに応じて、記録先のトレイを切り替えて記録する構成としてもよい。
【００８９】
図３を参照して、画像生成装置２０Ａの内部構成を説明する。画像生成装置２０Ｂ，２０Ｃの内部構成は、画像生成装置２０Ａのものと同様であるので、画像生成装置２０Ａを代表して説明する。
【００９０】
図３に示すように、画像生成装置２０Ａは、ＣＰＵ２１と、操作部２２と、ＲＡＭ２３と、表示部２４と、記憶部２５と、通信部２６と、画像生成部２７と、バス２８とを備えて構成され、ＣＰＵ２１とＲＡＭ２３に展開されたプログラムとの協働により制御部２１１が構成される。画像生成装置２０ＡのＣＰＵ２１、操作部２２、ＲＡＭ２３、表示部２４、記憶部２５、通信部２６、制御部２１１、バス２８は、それぞれ、画像記録装置１０のＣＰＵ１１、操作部１２、ＲＡＭ１３、表示部１４、記憶部１５、通信部１６、制御部１１１、バス１８と同様であるので、説明の重複を避けるため、異なる部分を主として説明する。
【００９１】
記憶部２５には、第１の画像生成プログラムが記憶される。
画像生成部２７は、被写体である患者の患部などをＣＴスキャン方式で撮影し、その撮影画像を所定の読み取りピッチ（８７．５［μｍ］）で読み取る。画像生成装置２０Ｂ，２０Ｃの画像生成部２７は、それぞれ、上記で述べたように撮影方式や読み取りピッチが異なる。また、画像読取装置２０Ｄは、画像生成部２７に代えて、ＣＲ撮影された画像データを所定の読み取りピッチで読み取る画像読取部とし、他の部分が同様の構成となる。
【００９２】
ここで、読み取りピッチに応じて設定される最適な書き込みピッチについて説明する。まず、図４を参照して、読み取りピッチと書き込みピッチとの組み合わせに応じた補間倍率の関係を説明する。図４に、読み取りピッチと書き込みピッチとの組み合わせに応じた補間倍率の関係を示す。
【００９３】
上記で説明したように、画像生成装置の種別に応じて読み取りピッチは、８７．５［μｍ］（ＣＴ，ＭＲＩ，立位撮影ＣＲ）、５０［μｍ］（マンモグラフィ）の２種があり、書き込みピッチは、４３．７５［μｍ］、２５［μｍ］の２種があるものとする。まず、読み取りピッチが８７．５［μｍ］で、書き込みピッチが４３．７５［μｍ］である場合、補間倍率は、２．０倍であり、読み取りピッチが５０［μｍ］で、書き込みピッチが４３．７５［μｍ］の場合、補間倍率は、１．１倍となる。また、読み取りピッチが８７．５［μｍ］で、書き込みピッチが２５［μｍ］の場合、補間倍率は３．５倍であり、読み取りピッチが５０［μｍ］で、書き込みピッチが２５［μｍ］である場合、補間倍率は２．０倍となる。
【００９４】
ここで、補間倍率が整数倍となる場合、補間前画像信号と、補間後画像信号とにおけるデータの劣化を最小に抑えることができる。また、補間倍率が非整数倍の場合、補間倍率が高いほど情報の劣化を低減させることができ、少なくとも１．８倍以上であれば、データの劣化を抑えた医用画像を再現することができる。従って、図４に示すように、補間倍率が２．０倍となる読み取りピッチと書き込みピッチとの関係が最も好適であり、次いで、補間倍率が３．５倍となる関係が好ましく、補間倍率が１．１倍となる関係は、データの劣化が大きいものとなる。この結果、読み取りピッチが８７．５［μｍ］の医用画像については、書き込みピッチを４３．７５［μｍ］とすることにより、好適な補間処理を行うことができ、読み取りピッチが５０［μｍ］の医用画像については、書き込みピッチを２５［μｍ］とすることにより、好適な補間処理を行うことができる。
【００９５】
また、読み取りピッチが８７．５［μｍ］であるＣＴ，ＭＲＩ，ＣＲなどの装置は、２５［μｍ］でも画像形成可能であるが、画像処理に時間を要するので処理能力が低下する。一方、読み取りピッチが５０［μｍ］のマンモグラフィは、診断上高精細が要望されるので、書き込みピッチの細かさが要求される。
【００９６】
次に、図５及び図６を参照して、医用画像記録システム１００の動作を説明する。図５に、画像生成装置２０Ａにおいて実行される第１の画像生成処理を示す。図６に、画像記録装置１０において実行される第１の画像記録処理を示す。
【００９７】
図５を参照して、画像生成装置２０Ａにおいて、患者の患部の画像を撮影し、画像データを生成する第１の画像生成処理を説明する。
【００９８】
画像生成装置２０Ａにおいて、操作者により操作部２２から第１の画像生成処理実行開始の旨が入力されたことをトリガとして、ＣＰＵ２１は、記憶部２５に記憶された第１の画像生成プログラムを読み出してＲＡＭ２３に展開し、ＲＡＭ２３に展開された第１の画像生成プログラムとＣＰＵ２１との協働により第１の画像生成処理が実行される。以下、各ステップの処理の主体は、特に言及しない限り制御部２１１であるものとする。
【００９９】
図５に示すように、先ず、操作者により操作部２２を介して入力される、患者の患部の撮影のための各種設定情報を受け付ける（ステップＳ１１）。但し、画像の読み取りピッチは、各画像生成装置で予め決まっており、各種設定情報に含まれない構成としてもよい。また、画像読取装置２０Ｄは、入力される各種設定情報とともに、ＲＩＳ／ＨＩＳ４０から撮影／検査オーダ情報をバス３２及び通信部２６を介して受信し、当該撮影／検査オーダ情報が各種設定情報に付加される構成としてもよい。
【０１００】
そして、ステップＳ１１において入力された各種設定情報に基づいて、画像生成部２７で患者の患部が撮影される（ステップＳ１２）。そして、ステップＳ１２において撮影された画像信号から、所定の読み取りピッチ（画像生成装置２０Ａ，２０Ｂ，画像読取装置２０Ｄの場合は８７．５［μｍ］、画像生成装置２０Ｃの場合は５０［μｍ］）により画像データが読み取られる（ステップＳ１３）。
【０１０１】
そして、ステップＳ１３において読み取られた画像データに付帯情報が付加される（ステップＳ１４）。付帯情報とは、画像記録装置１０における画像データの画像記録時に用いる書き込みピッチに関連する情報を含み、例えば、被写体の撮影部位などの撮影条件を示す撮影条件情報や、画像データの用途を示す情報や、画像データを生成した画像生成装置の読み取りピッチ情報などである。また、１つの画像生成装置の種別に複数種類の書き込みピッチを設定可能な構成において、マンモ画像記録時の書き込みピッチと、一般撮影画像の書き込みピッチとを分ける場合、撮影画像がマンモ画像であるか否かを示す情報が得られればよく、付帯情報としては、例えば、撮影部位が乳房を示すか否かを示す情報、用途がマンモ画像記録か否かを示す情報、画像生成装置の読み取りピッチがマンモ撮影に対応しているか否かを示す情報などとなる。
【０１０２】
そして、付帯情報を含む画像データが、ネットワークバス６０を介して画像記録装置１０へ送信され（ステップＳ１５）、第１の画像生成処理が終了される。画像生成装置２０Ｂ，２０Ｃ，画像読取装置２０Ｄにおいても、同様に第１の画像生成処理が実行される。画像生成装置２０Ｂの場合は、ＤＩＣＯＭ変換部５０により、ステップＳ１４が実行され、当該付帯情報を含む画像データがＤＩＣＯＭ変換される。画像読取装置２０Ｄにおいては、ステップＳ１２における画像撮影がＣＲ撮影機器により行われる。
【０１０３】
次いで、図６を参照して、画像記録装置１０において、画像読取装置を含む画像生成装置により入力された画像データを記録媒体に記録する第１の画像記録処理を説明する。画像記録装置１０において、操作者により操作部１２から第１の画像記録処理実行開始の旨が入力されたことをトリガとして、ＣＰＵ１１は、記憶部１５に記憶された第１の画像記録プログラムを読み出してＲＡＭ１３に展開し、ＲＡＭ１３に展開された第１の画像記録プログラムとＣＰＵ１１との協働により第１の画像記録処理が実行される。以下、各ステップの処理の主体は、特に言及しない限り制御部１１１であるものとする。
【０１０４】
予め、画像生成装置において第１の画像生成処理が実行されているものとする。そして、付帯情報を含む画像データが、ネットワークバス６０を介して画像記録装置１０に送信される。
【０１０５】
先ず、ネットワークバス６０及び通信部１６を介して、画像データが入力された画像生成装置から当該画像データを受信する（ステップＳ２１）。そして、ステップＳ２１において受信された画像データの付帯情報が読み出されて取得される（ステップＳ２２）。
【０１０６】
そして、付帯情報に基づいて、好適な書き込みピッチが決定される（ステップＳ２３）。例えば、付帯情報が患者の撮影部位情報を含む場合には、撮影部位が乳房である場合にか否かに基づいて、一般撮影画像用の書き込みピッチ４３．７５［μｍ］又はマンモ画像用の書き込みピッチ２５［μｍ］が決定される。また、例えば、付帯情報が画像データの用途情報を含む場合には、用途がマンモ画像である場合にか否かに基づいて、一般撮影画像用の書き込みピッチ４３．７５［μｍ］又はマンモ画像用の書き込みピッチ２５［μｍ］が決定される。また、例えば、付帯情報が読み取りピッチ情報を含む場合には、読み取りピッチが一般撮影画像記録用の大きさ（８７．５［μｍ］）であるか否かに基づいて、一般撮影画像用の書き込みピッチ４３．７５［μｍ］又はマンモ画像用の書き込みピッチ２５［μｍ］が決定される。
【０１０７】
そして、ステップＳ２３において決定された書き込みピッチが４３．７５［μｍ］であるか否かが判別される（ステップＳ２４）。書き込みピッチが４３．７５［μｍ］である場合（ステップＳ２４；ＹＥＳ）、ステップＳ２１において受信された画像データが、画像記録部１７で書き込みピッチ４３．７５［μｍ］により補間されて記録媒体上に記録されるとともに、当該書き込みピッチの値（４３．７５［μｍ］）が記録媒体上に記録され（ステップＳ２５）、第１の画像記録処理が終了される。
【０１０８】
書き込みピッチが４３．７５［μｍ］でない場合（ステップＳ２４；ＮＯ）、書き込みピッチが２５［μｍ］であり、ステップＳ２１において受信された画像データが、画像記録部１７で書き込みピッチ２５［μｍ］により補間されて記録媒体上に記録されるとともに、当該書き込みピッチの値（２５［μｍ］）が記録媒体上に記録され（ステップＳ２６）、第１の画像記録処理が終了される。
【０１０９】
以上、本実施の形態によれば、画像記録装置１０において、画像読取装置を含む複数の画像生成装置から受信した画像データの付帯情報に基づいて、当該画像データの画像記録に用いる書き込みピッチを決定して、当該書き込みピッチにより画像データを補間して記録媒体に画像記録するので、複数の画像生成装置で生成された画像データを、複数の書き込みピッチのうちの付帯情報に応じた好適な書き込みピッチにより画質劣化を低減して画像記録することができる。
【０１１０】
また、画像データとともに当該画像データの画像記録に用いる書き込みピッチを記録媒体に記録するので、記録媒体上の記録画像の観察者が読み取りピッチを確認することができる。
また、光熱銀塩方式により画像データを記録媒体に記録するので、診断に耐えうる医用画像を記録することができる。
【０１１１】
また、付帯情報が、撮影条件情報と、画像データの用途を示す情報と、画像生成装置の読み取りピッチ情報と、画像データの補間倍率情報とのうちの少なくとも一つを含むので、撮影条件、画像データの用途、読み取りピッチ、補間倍率のうちの少なくとも一つに応じた好適な書き込みピッチを決定できる。
また、画像読取装置を含む画像生成装置と画像記録装置とが、ネットワークを介して接続されているので、好適かつ多様な通信接続構成をとることができる。
【０１１２】
以下の説明は、本実施の形態についてのものであるが、後述する第２及び第３の実施の形態でも同様である。
【０１１３】
ここで、図７〜図１５を参照して、ステップＳ２３に示す好適な書き込みピッチの決定について、補間倍率、読み取りピッチに基づいて好適な書き込みピッチを決定する例を説明する。先ず、補間倍率に基づいて好適な書き込みピッチを決定する例を説明する。
【０１１４】
「画像補間処理」とは、標本点に基づいて再標本化をする画像処理をいう。具体的には、滑らかな曲などを用いて隣接する各標本点を繋ぎ、再標本化することをいう。なお、ここでいう標本点とは、画像信号配列データを意味し、画像補間処理前後における画像信号配列データは、いずれも２次元正方格子配列（当然であるが格子間隔は一定値）で表されることを前提とする。
【０１１５】
補間倍率Ｒは、
画像補間処理前におけるサンプリング間隔ΔＸorg
画像補間処理後におけるサンプリング間隔ΔＸproc
とするとき、
Ｒ＝ΔＸorg / ΔＸproc
と定義する。Ｒ＞１のとき「拡大補間」、Ｒ＜１のとき「縮小補間」、Ｒ＝１のとき「等倍補間」とよぶことにする。また、ΔＸorgは、画像生成装置に係る「読み取りピッチ」
、ΔＸprocは、画像記録装置に係る「書き込みピッチ」、にそれぞれ相当する。
【０１１６】
補間前の画像信号が示すデータに対応する座標と、補間後の画像信号が示すデータに対応する座標と、の位置ずれ（距離）の大きさが、記録画像の画質に影響を与え得る。その距離が小さいと原画像信号が有していた情報を維持でき、その距離が大きいと原画像信号が有していた情報を劣化させるおそれがある。
【０１１７】
図７は、２次元画像信号に係る画像補間処理の説明図である。黒丸（●）は標本点であって、画像補間処理前の各画素データに対応する座標を表す。白丸（○）は再標本点であって、画像補間処理後の各画素データに対応する座標を表す。正方格子の間隔は、画像補間処理前におけるサンプリング間隔ΔＸorgである。白丸（○）の画素データを算出する方法として、近隣のｎ×ｎの画素データを用いた積和演算に従って算出する。例えば、４×４の画素データを用いる場合には、図７で示すような１６点の画素データを用いて演算する。なお、画像補間処理に関する詳細は、特開平９−９７３３０号公報などに開示されている。
【０１１８】
図８は、１．５倍拡大補間の説明図である。斜線丸は画像補間処理前における画素データの座標、白丸（○）は画像補間処理後における画素データの座標、黒丸（●）は画像補間処理前後における座標が一致した座標、をそれぞれ表す。実線で表された正方格子の間隔は画像補間処理前におけるサンプリング間隔ΔＸorg、破線で表された正方格子の間隔は画像補間処理後におけるサンプリング間隔ΔＸprocである。
【０１１９】
図９は、補間係数の一例を示す図である。各格子内の数値は、各画素に係る補間係数を表す。図９（ａ）は、図８に示す画素ＰＸ１に係る画素データを算出する際の補間係数を示す。画像補間処理前後における座標が一致するため、該座標に係る画素データの補間係数が１であり、その他の画素に係る補間係数はすべて０になる。図９（ｂ）は、図８に示す画素ＰＸ２に係る画素データを算出する際の補間係数を示す。最近接点での補間係数は０．６３であり、その他の補間係数も０でない値を有するものがある。
【０１２０】
画像補間の一般的性質として、再標本点と当該標本点に最も近い標本点との距離（以下、「最近接距離」という。）によって画素データが変化する。最近接距離が近いほど標本点における補間係数が１に近づき、当該画素データに近い値を取る。一方、最近接距離が遠いほど基準標本点における補間係数が０に近づき、他の画素データの影響を受けやすくなる。従って、最近接距離の大きさが画質に影響を与え得る。すなわち、最近接距離が小さいと原画像信号が有していた情報を維持することができ、最近接距離が大きいと原画像信号が有していた情報を劣化するおそれがある。
【０１２１】
図１０は、補間倍率を変化させたときにおける最近接距離のヒストグラムを示す図である。簡単のため、１次元で考慮する。図１０（ａ）は、補間倍率が１．０倍であるときのヒストグラムを示す。図１０（ｂ）は、補間倍率が１．５倍であるときのヒストグラムを示す。図１０（ｃ）は、補間倍率が１．０００１倍であるときのヒストグラムを示す。一般的に、補間倍率を既約分数で表したときの分子（整数値）が最近接距離の周期を表す。該分子が小さいときは周期が短く、該分子が大きいときは周期が長い。
【０１２２】
例えば、図１０（ａ）では補間倍率は１／１であり、必ず最近接距離が０になる。また、図１０（ｂ）では補間倍率は３／２であり、１／３の割合で最近接距離が０になり、残り２／３の割合で最近接距離がΔＸorg／３になる。また、図１０（ｃ）では補間倍率は１０００１／１００００であり、最近接距離が０〜ΔＸorg／２の範囲でほぼ同じ割合で存在する。すなわち、最近接距離がほぼランダムな値を示すことがわかる。
【０１２３】
図１１は、最近接距離分布が一様（例えば、図１０（ｃ））の場合における、最近接距離の模式図を示す図である。図１１（ａ）は、注目画素情報が劣化する可能性がある場合を示しており、図１１（ｂ）は、注目画素情報が劣化する可能性がない場合を示している。
【０１２４】
図１１に示すように、すべての点における最近接距離がｄΔＸorg未満に収まる場合は
、
ΔＸproc＜２1/2ｄΔＸorg
∴Ｒ＞１／(２1/2ｄ)
である。
また、補間処理前における画像信号の情報劣化が起こらないようなｄは、医用画像を出力する際は経験的にｄ＝０．４０であることから、Ｒ＞１．８が好ましい。
【０１２５】
上述のように、「医用画像における好ましい補間倍率」について数学的理論に基づいて考察を行ったが、実写画像による官能評価を別途行い、この考察の妥当性について検証した。
人体（撮影部位は頭蓋骨）のＸ線撮影を行い、画像生成装置を用いてデジタルデータ化した画像信号に基づいて、光熱銀塩方式イメージャで出力した。医用機器開発に従事する研究員３名の目視による官能評価結果（平均）を図１２に示す。評価は５段階評価により行い、５：きわめて良い、４：良い、３：普通、２：やや悪い、１：悪い、とした。
官能評価の結果より、補間倍率１．８倍以上、又は補間倍率１．０倍の近傍においては４以上の評価が得られた。従って、理論の観点および官能評価の観点より、Ｒ＞１．８が医用画像における好ましい補間倍率であることが検証できた。
なお、目視による結果から、診断には直接影響を及ぼすことはなかったが、白抜け文字、周期的に配列された細線等の幾何学的図形に関しては、補間倍率を整数値にすることが最も好ましく、少しでも整数値をずれると画質を損ねる可能性があることがわかった。
【０１２６】
図１３は、図１２に示した官能評価の結果をまとめた図であり、補間倍率Ｒを基準として示したものである。要求される画質レベルが極めて高い医用画像において、補間倍率Ｒが、１．４≦Ｒ≦１．８であれば画質劣化が多少はあるもののその程度を低減できるため好ましい。更に、Ｒ＞１．８または１．０倍近傍の補間倍率、すなわち、０．９５≦Ｒ≦１．０５では画質劣化は殆どなく更に好ましい。一方、その他の範囲、すなわち、Ｒ＜０．９５または１．０５＜Ｒ＜１．４のときは画質の劣化が起こり得るため好ましくない。なお、補間倍率が整数倍と非整数倍（例えば、２．０倍と２．１倍）との診断結果に差異はなかったが文字表現能の違いを考慮して、２．０倍のとき◎◎、２．０倍でないとき○、とした。
【０１２７】
次に、切替可能な書き込みピッチが複数種（ｎ種類、ｎ≧２）である画像記録装置における、各書き込みピッチの好適な関係について、前述の「医用画像における好ましい補間倍率」の結果に基づいて説明する。
【０１２８】
まず、最も近い書き込みピッチ同士、すなわち、Ｐｉ（ただし、ｉ＝１，２，‥，ｎ−１）とＰ（ｉ＋１）についての好適な関係について説明する。画質劣化が多少はあるもののその程度を低減できるレベルの補間倍率を保証するためには、すべてのｉに対して  １．０５＜Ｐ（ｉ＋１）／Ｐｉ＜１．４  を満たすことが好ましい。なぜならば、画質劣化が起こり得る補間倍率１．０５＜Ｒ＜１．４の範囲に含まれないように書き込みピッチを選択できるからである。
【０１２９】
次に、最小書き込みピッチＰ１と他の書き込みピッチＰｉ（ただし、ｉ＝２，‥，ｎ）との好適な関係について説明する。高画質を得るためには画像記録装置における最高解像度で記録するとよく、最小ピッチＰ１を用いて記録することが好ましい。しかし、Ｐ１で補間倍率が１．０５＜Ｒ１＜１．８となるとき、画像補間処理による画質劣化が生じるおそれがある。そこで、この補間倍率では、Ｐ１以外のピッチＰｉで記録し、好ましい倍率０．９５≦Ｒｉ≦１．０５とすることにより、画像補間処理に起因する画質劣化を低減することができる。
【０１３０】
補間倍率とピッチとの関係式は、
Ｐｉ・Ｒｉ＝const.（一定）より、
∴Ｒｉ＝Ｒ１＊Ｐ１／Ｐｉとなる。
１．０５＜Ｒ１＜１．８の範囲にある所定のＲ１に対して、
０．９５≦Ｒ１・Ｐ１／Ｐｉ≦１．０５より、
∴ （Ｒ１／１．０５）≦（Ｐｉ／Ｐ１）≦（Ｒ１／０．９５）
を満たすとき、最小書き込みピッチＰ１で大きな画質劣化が生じ得る場合でも、他の書き込みピッチＰｉを用いて画質劣化を低減することができる。
例えば、
Ｒ１＝１．５のとき、
１．４３≦（Ｐｉ／Ｐ１）≦１．５８となる。
【０１３１】
（Ｐｉ／Ｐ１）のとるべき範囲は、
下限（Ｒ１＝１．０５）において、
［範囲重複あり］（Ｐｉ／Ｐ１）＝（０．９５／０．９５）＝１．０
［範囲重複なし］（Ｐｉ／Ｐ１）＝（１．０５／０．９５）＝１．１
上限（Ｒ１＝１．８）において、
［範囲重複あり］（Ｐｉ／Ｐ１）＝（１．８／０．９５）＝１．９
［範囲重複なし］（Ｐｉ／Ｐ１）＝（１．８／１．０５）＝１．７
従って、
［範囲重複あり］１．０＜（Ｐｉ／Ｐ１）＜１．９
［範囲重複なし］１．１＜（Ｐｉ／Ｐ１）＜１．７
である。
【０１３２】
上記範囲を満たしていると、最小書き込みピッチＰ１で画質劣化が生じる補間倍率範囲（１．０５＜Ｒ１＜１．８）の場合でも、所定の補間倍率範囲において、他の書き込みピッチＰｉで記録することにより画質劣化を低減できる。更に、上記範囲を満たすＰｉの数が多いほど、様々な補間倍率範囲を網羅することができる。
以上より、１．０＜（Ｐｉ／Ｐ１）＜１．９を満たすことが好ましく、なるべく補間倍率範囲を重複しないようにするため、１．１＜（Ｐｉ／Ｐ１）＜１．７とするのが更に好ましい。
【０１３３】
図１４は、好適な読み取りピッチと書き込みピッチとの対応づけを示す図である。
例えば、読み取りピッチが３０［μｍ］以上の画像出力をする場合、選択し得る書き込みピッチの種類を、３０［μｍ］（最小ピッチ）、３３［μｍ］（補間倍率１．１０倍）、３７［μｍ］（１．２３倍）、４１［μｍ］（１．３７倍）、４５［μｍ］（１．５０倍）、５０［μｍ］（１．６７倍）、とすれば、補間倍率が１．０５〜１．８倍の範囲において殆ど全ての倍率を網羅できるため、１．０倍以上の任意倍率で、画質劣化が低減できる好適な書き込みピッチを選択できる。
【０１３４】
次に、読み取りピッチに基づく最適な書き込みピッチの数について説明する。上述したように、画像記録装置において多数の書き込みピッチが選択可能であれば、画像補間処理の際の画質劣化をより低減させ、高精細な医用画像を提供可能となるが、本実施の形態においては、画像記録装置の汎用性を高めると共に、処理効率を向上させるため、画像記録装置が２種又は３種の書き込みピッチを備える場合について検討した。
【０１３５】
図１５は、書き込みピッチに対する読み取りピッチの補間倍率及びその評価を示す図である。切り替えが出きる書き込みピッチが１種類である比較例と、２つ以上の実施例とを示す。比較例Ａの書き込みピッチを５０［μｍ］とする。比較例Ｂの書き込みピッチを４０［μｍ］とする。実施例Ｃの書き込みピッチを３０［μｍ］，４０［μｍ］とする。実施例Ｄの書き込みピッチを３０［μｍ］，６０［μｍ］とする。実施例Ｅの書き込みピッチを３０［μｍ］，４０［μｍ］，５０［μｍ］とする。
【０１３６】
評価基準は、上記の好ましい補間倍率の範囲に基づいて、画質劣化の少ない好ましい評価から◎◎、◎、〇、△、×、××の五段階で示す。図１５に示すように、比較例Ａにおいては、３種の読み取りピッチについて「×」又は「××」の評価がつき、１種の読み取りピッチについて「△」の評価がつき、「○」以上の評価は３種のみであった。比較例Ｂにおいては、２種の読み取りピッチについて「×」の評価がつき、２種の読み取りピッチについて「△」の評価がつき、「○」以上の評価は４種であった。比較例Ｃにおいては、１種の読み取りピッチについて「×」の評価がつき、１種の読み取りピッチについて「△」の評価がつき、「○」以上の評価は６種であった。
【０１３７】
一方、実施例Ｄにおいては、１種の読み取りピッチについてのみ「△」の評価がつき、７種の読み取りピッチについて「○」以上の評価がついた。なかでも、５種の読み取りピッチについては、「◎◎」の評価がつく良好な結果となった。なお、図表中、背景が無地の評価については、３０［μｍ］の書き込みピッチを適用し、背景が斜線の評価は、４０［μｍ］の書き込みピッチを適用したことを示している。
【０１３８】
書き込みピッチが１つの比較例よりも、２つ以上の実施例のほうが好ましい読み取りピッチの値が多い。また、書き込みピッチ同士が整数倍の実施例Ｃに比べて、整数倍でない実施例Ｄのほうが、好ましい読み取りピッチの値が多い。さらに、書き込みピッチが３種類の実施例Ｅでは、ほとんどの読み取りピッチの値に対して画質劣化がなく好ましい。よって、本実施の形態のように２種類以上の書き込みピッチを切り替える構成が好ましく、３種類以上であればさらによく、また書き込みピッチ同士が整数倍の関係にないほうが好ましい。
【０１３９】
よって、記録画像部１７の切り替え可能な書き込みピッチの種類を少なくとも２種、より好ましくは３種以上にすることにより、広範囲な読み取りピッチの医用画像に対して、好適な書き込みピッチを選択して高画質な医用画像を生成することができる。これにより、種々の画像生成装置を備えた汎用性の高い医用画像記録システムにも対応することができる。書き込みピッチが２種の場合においても十分な効果があるが、書き込みピッチが３種以上では最小書き込みピッチが適さない読み取りピッチのうちかなりの範囲を他の書き込みピッチで補完できることから好ましい。更に、書き込みピッチが４種以上では最小書き込みピッチが適さない読み取りピッチのうち殆どの範囲を他の書き込みピッチで補完できることから一層好ましい。
【０１４０】
また、補間倍率が０．９５以上であるためには、書き込みピッチが読み取りピッチ以下のサイズであることが望ましい。また、微細な構造物を描写するためにも書き込みピッチが小さいことが望ましい。よって、書き込みピッチが小さいほど補間倍率及び描写能の観点で有利である。
例えば、１０［Ｃｙ／ｍｍ］に相当する空間周波数の情報を含む画像を出力可能なためには、書き込みピッチの最小値Ｐ１が５０［μｍ］以下であれば好ましい。高画質なマンモグラフィ画像データが生成可能であるために必要な読み取りピッチが５０［μｍ］以下であることからも、書き込みピッチも５０［μｍ］以下が好ましいといえる。
更に、１４［Ｃｙ／ｍｍ］に相当する空間周波数の情報を含む画像を出力可能であるためには、書き込みピッチの最小値Ｐ１が３５［μｍ］以下であればなお好ましい。書き込みピッチ３５［μｍ］以下とすれば、マンモグラフィに必要な読み取りピッチ５０［μｍ］に対する補間倍率が１．４倍以上となり、最低限の画質は保証されることからも（図１３参照）、書き込みピッチは３５［μｍ］以下がなお好ましいといえる。
【０１４１】
補間倍率について、医用画像の場合、ＣＲなどの診断画像においては、ライフサイズ（実寸サイズ）出力となり、補間倍率は１．０〜２．０倍の範囲となる。また、ＣＴ／ＭＲＩ等の診断画像においては、種々サイズ出力となり、補間倍率２．０倍以上が大半となる。また、ＣＲなどの診断画像の場合、補間処理による画質劣化の影響を受け得る。しかし、ライフサイズ出力を前提にすると実際には限られた補間倍率となる。すべての範囲を網羅する必要はない。
【０１４２】
好適な書き込みピッチを決定する方法としては、与えられた読み取りピッチ情報に基づいて、各書き込みピッチに対応する補間倍率をそれぞれ算出し、図１３に示すような判定基準を設け、実現し得る補間倍率のうち最適な補間倍率および書き込みピッチを選択する方法を用いることができる。また、図１４に示すように、読み取りピッチと書き込みピッチとを対応づけるテーブルなどを予め作成しておき、与えられた読み取りピッチ情報から直接的に好適な書き込みピッチを決定する方法も好ましい態様である。
また、補間倍率が高いほど画質劣化は少ないので最小書き込みサイズを選択することが最適な場合が多いが、その代償として補間処理後の画像データのサイズが大きくなり処理時間が増加してしまう。よって、補間処理時間及びメモリ領域を考慮し、補間倍率が所定値を超えないように書き込みピッチを選択することも好ましい態様である。
なお、補間倍率を決定すると、補間処理後における画像データのサイズも一義的に決定する。従って、補間倍率を決定することと補間処理後における画像データのサイズを決定することは実質的に等価である。
【０１４３】
以上説明したように、補間倍率に基づいて記録する書き込みピッチを決定する構成としてもよい。その構成により、複数の書き込みピッチのうちの、読み取りピッチに合った好適な書き込みピッチにより画質劣化を低減して画像データを画像記録することができる。
【０１４４】
また、複数の書き込みピッチのうちの少なくとも一つが１．０＜（Ｐｉ ／Ｐ１）＜１
．９を満たす構成とすれば、最小書き込みピッチＰ１で画質劣化が起こる場合でも、他の書き込みピッチＰｉを用いて画質劣化を低減して画像データを補間することができる。
また、複数の書き込みピッチのうちの少なくとも一つが１．１＜（Ｐｉ ／Ｐ１）＜１
．８を満たす構成とすれば、最小書き込みピッチＰ１で画質劣化が起こる場合でも、なるべく補間倍率範囲を重複せずに、他の書き込みピッチＰｉを用いて画質劣化を低減して画像データを補間することができる。
なお、本実施の形態で用いた読み取りピッチ及び書き込みピッチの値は一例であり、上記の値に限られるものではない。
【０１４５】
また、付帯情報に基づいて画像データの画像記録に用いる書き込みピッチを切り替える書き込みピッチ変更モード又は付帯情報によらず書き込みピッチを一定にする書き込みピッチ不変モードを設定する構成とすれば、付帯情報に対応する場合と対応しない場合との両方で多様に書き込みピッチを決定できる。
【０１４６】
また、画像生成装置の読み取りピッチが画像記録装置の書き込みピッチの整数倍である組合せが存在する構成としてもよい。その構成により、その組合せの書き込みピッチを決定し、複数の書き込みピッチのうちのさらに好適な書き込みピッチにより画質劣化を低減して画像データを画像記録することができる。
さらに、画像生成装置の読み取りピッチが画像記録装置の書き込みピッチの整数倍である組合せが存在する場合に、その組合せの書き込みピッチを決定する構成としてもよい。その構成により、複数の書き込みピッチのうちのさらに好適な書き込みピッチにより画質劣化を低減して画像データを画像記録することができる。
【０１４７】
また、画像生成装置として、位相コントラスト撮影等により被写体を所定の拡大撮影倍率で拡大撮影した画像データを出力する放射線画像撮影装置、ＣＲシステム等を用いてもよい。このような画像生成装置から出力される画像データの付帯情報の撮影条件情報には、撮影部位の他、更に拡大撮影倍率を示す情報が含まれる。これにより、画像記録装置や後述する管理装置で拡大撮影倍率を認識可能となる。
【０１４８】
上述の、被写体を拡大撮影した画像データを出力する画像生成装置を用いる場合、画像生成装置の読み取りピッチを拡大撮影倍率で除した値が画像記録装置の書き込みピッチの整数倍である、読み取りピッチと書き込みピッチの組合せが存在する構成としてもよい。この構成により、複数の書き込みピッチの中から、その組合せの書き込みピッチを画像データの画像記録に用いる書き込みピッチとして決定することが可能となり、これにより、拡大撮影した画像をライフサイズで記録する場合に画像劣化のない、好適な書き込みピッチで画像を記録することができる。
また、画像生成装置の読み取りピッチを拡大撮影倍率で除した値が画像記録装置の書き込みピッチの整数倍である、読み取りピッチと書き込みピッチの組合せが存在する場合に、その組合せの書き込みピッチを画像データの画像記録に用いる書き込みピッチとして決定する構成としてもよい。この構成により、拡大撮影した画像をライフサイズで記録する場合に画像劣化のない、好適な書き込みピッチで画像を記録することができる。
【０１４９】
例えば、拡大撮影倍率が１．７５倍であった場合、読み取りピッチを１．７５で除した値が書き込みピッチの整数倍になるような書き込みピッチで画像記録を行えばよい。
拡大撮影が良く行われる撮影部位として乳房が挙げられる。拡大撮影した画像をライフサイズで記録することにより、画像生成装置の読み取りピッチが拡大撮影倍率分小さくなったのと同じ効果が得られるので、乳房を拡大撮影して画像データを生成した際の読み取りピッチを拡大撮影倍率で除した値が画像記録装置の書き込みピッチの整数倍となるような書き込みピッチでライフサイズとなるように画像記録を行うことにより、より高精細で画像劣化のない乳房画像を得ることができ、好ましい。
【０１５０】
また、本実施の形態においては、画像記録装置が１台であったが、これに限るものではない。例えば、複数の画像記録装置、画像データを表示するビューア、画像データを記録するデータベースなどの装置をネットワークバス６０に接続する構成でもよい。
【０１５１】
（第２の実施の形態）
図１６〜図２１を参照して、本発明に係る第２の実施の形態を説明する。先ず、図１６〜図２１を参照して、本実施の形態の装置構成を説明する。図１６に、本実施の形態の医用画像記録システム２００のブロック構成を示す。図１７に、画像読取装置２０Ｅの内部のブロック構成を示す。図１８に、管理装置７０の内部のブロック構成を示す。
【０１５２】
本実施の形態の装置構成を説明する。図１６に示すように、本実施の形態の医用画像記録システム２００は、画像記録装置１０Ａ，１０Ｂと、画像読取装置２０Ｅ、２０Ｆ，２０Ｇを含むＣＲネットワーク部３０Ａと、ＲＩＳ／ＨＩＳ４０と、管理装置としての管理装置７０と、を備える。また、画像記録装置１０Ａ，１０Ｂ、ＣＲネットワーク部３０Ｂ、ＲＩＳ／ＨＩＳ４０及び管理装置７０は、ネットワークバス６０に通信接続される。
【０１５３】
ＣＲネットワーク部３０Ｂは、画像読取装置２０Ｅ，２０Ｆ，２０Ｇと、ＲＩＳ／ＨＩＳ４０などから撮影／検査オーダ情報を取得し、当該検査オーダ情報と、使用するカセッテＩＤ，撮影条件，画像処理条件などとを関連付け、患者撮影した画像を確認可能なＷＳ３３Ａ，３３Ｂと、画像読取装置２０Ｅ，２０Ｆ，２０Ｇで読み取られた画像の配信先となるＷＳの決定や、画像読取装置２０Ｅ，２０Ｆ，２０Ｇの制御条件などの配信を行うＪＯＢマネージャ３１とから構成される。
【０１５４】
画像読取装置２０Ｅ，２０Ｆ，２０Ｇは、ＣＲ撮影を行うカセッテを用いる画像読取装置である。先ず、ＲＩＳ／ＨＩＳ４０などからの撮影／検査オーダ情報に基づいて、技師により、病室などにカセッテが運ばれ、患者の患部がＣＲ撮影される。その後、撮影済のカセッテが画像読取装置２０Ｅ，２０Ｆ，２０Ｇのうちのいずれか一つ、例えば画像読取装置２０Ｅまで運ばれてセットされる。その画像読取装置２０Ｅは、セットされたカセッテから、マンモ画像用の読み取りピッチ５０［μｍ］又は一般撮影画像用の８７．５［μｍ］で画像データを読み取る。この読み取られた画像データは、ＪＯＢマネージャ３１により指定されたＷＳ、例えばＷＳ３３Ａに送信される。そのＷＳ３３Ａで表示・確認後、ＷＳ３３Ａは当該画像データに付帯情報を付加して、ＤＩＣＯＭ対応データ形式で画像データを管理装置７０に送信する。
このように、画像読取装置２０Ｅ，２０Ｆ又は２０Ｇと、ＷＳ３３Ａ又は３３Ｂとの組合せにより、付帯情報を含む画像データを生成する画像生成装置としての機能が実現される。
【０１５５】
ここで、図１７を参照して、画像読取装置２０Ｅの内部構成を説明する。画像読取装置２０Ｆ，２０Ｇは、画像読取装置２０Ｅと同様の内部構成である。図１７に示すように、画像読取装置２０Ｅは、図２に示す画像生成装置２０Ａの構成において、画像生成部２７に代えて画像読取部２９を備えて構成される。よって、説明の重複を避けるため、画像生成装置２０Ａと異なる部分を主として説明する。
【０１５６】
記憶部２５には、第２の画像生成プログラムが記憶される。
また、通信部２５は、ネットワークバス３２に接続される。
画像読取部２９は、被写体である患者の患部などをＣＲ撮影されたカセッテがセットされ、当該カセッテに記録された画像から読み取りピッチ５０［μｍ］又は８７．５［μｍ］により画像データを読み取る。
【０１５７】
管理装置７０は、画像読取装置２０Ｅから受信した画像データの付帯情報に基づいて、配信先の画像記録装置を１０Ａ及び１０Ｂから決定して、当該画像データを配信先の画像記録装置へ送信する。
【０１５８】
図１８に示すように、管理装置７０は、ＣＰＵ７１と、操作部７２と、ＲＡＭ７３と、表示部７４と、記憶部７５と、通信部７６と、バス７７とを備えて構成され、ＣＰＵ７１とＲＡＭ７３に展開されたプログラムとの協働により制御部７１１が構成される。管理装置７０のＣＰＵ７１、操作部７２、ＲＡＭ７３、表示部７４、記憶部７５、通信部７６、制御部７１１、バス７７は、それぞれ、画像記録装置１０のＣＰＵ１１、操作部１２、ＲＡＭ１３、表示部１４、記憶部１５、通信部１６、制御部１１１、バス１８と同様である。また、記憶部７５には、画像データ配信プログラムが記憶される。
【０１５９】
画像記録装置１０Ａ，１０Ｂは、管理装置７０から送信された画像データを、所定の固有の書き込みピッチにより記録媒体上に画像記録する。画像記録装置１０Ａの書き込みピッチは、４３．７５［μｍ］である。画像記録装置１０Ｂの書き込みピッチは、２５［μｍ］である。
【０１６０】
画像記録装置１０Ａ，１０Ｂの内部構成は、図２に示す画像記録装置１０と同様の構成である。但し、画像記録装置１０Ａ，１０Ｂの記憶部１５には、第２の画像記録プログラムが記録される。また、画像記録装置１０Ａの画像記録部１７は、書き込みピッチ４３．７５［μｍ］により画像データを記録媒体上に記録する。また、画像記録装置１０Ｂの画像記録部１７は、書き込みピッチ２５［μｍ］により画像データを記録媒体上に記録する。
【０１６１】
次に、図１９〜図２１を参照して、本実施の形態における医用画像記録システム２００における動作を説明する。図１９に、画像読取装置２０Ｅにおいて実行される第２の画像生成処理を示す。図２０に、管理装置７０において実行される画像データ配信処理を示す。図２１に、画像記録装置１０Ａ，１０Ｂにおいて実行される第２の画像記録処理を示す。
【０１６２】
図１８を参照して、画像読取装置２０Ｅにおいて、患者の患部のＣＲ撮影画像が記録されたカセッテから画像データを読み取り、当該画像データを管理装置７０に送信する第２の画像生成処理を説明する。予め、画像読み取り対象としての患部のＣＲ撮影済のカセッテが画像読取部２９にセットされる。
【０１６３】
画像読取装置２０Ｅにおいて、操作者により操作部２２から第２の画像生成処理実行開始の旨が入力されたことをトリガとして、ＣＰＵ２１は、記憶部２５に記憶された第２の画像生成プログラムを読み出してＲＡＭ２３に展開し、ＲＡＭ２３に展開された第２の画像生成プログラムとＣＰＵ２１との協働により第２の画像生成処理が実行される。以下、各ステップの処理の主体は、特に言及しない限り制御部２１１であるものとする。
【０１６４】
図１９に示すように、先ず、ネットワークバス３２及び通信部２６を介して、ＷＳ３３から読み取りピッチを含む画像読み取りの各種設定情報が受信されて取得される（ステップＳ３１）。ステップＳ３１においては、操作者により操作部２２から各種設定情報が入力されて取得される構成や、ＷＳ３３からの受信及び操作部２２における入力により各種設定情報が取得される構成でもよい。
【０１６５】
そして、ステップＳ３１において取得された各種設定情報に基づいて、読み取りピッチ（本実施の形態では、８７．５［μｍ］又は５０［μｍ］）が決定される（ステップＳ３２）。そして、画像読取部２９でカセッテに記録された画像から、ステップＳ３２おいて決定された読み取りピッチにより画像データが読み取られる（ステップＳ３３）。
【０１６６】
そして、読み取られた画像データが、ネットワークバス３２を介してＷＳ３３Ａ又は３３Ｂへ送信され（ステップＳ３４）、第２の画像生成処理が終了される。第２の画像生成処理の後、画像データを受信したＷＳ３３Ａ又は３３Ｂは、受信した画像データの管理者への表示・確認後、当該画像データに付帯情報を付加して、ネットワークバス３２，５０を介して当該画像データを管理装置７０に送信する。付帯情報は、第１の実施の形態と同様に、画像記録装置１０Ａ，１０Ｂにおける画像データの画像記録時に用いる書き込みピッチに関連する情報を含む。
【０１６７】
次いで、図２０を参照して、管理装置７０において、ＷＳ３３Ａ又は３３Ｂから受信する画像データを画像記録装置１０Ａ又は１０Ｂに配信する画像データ配信処理を説明する。
【０１６８】
管理装置７０において、ネットワークバス３２，６０及び通信部７６を介して、ＷＳ３３Ａ又は３３Ｂから画像データを受信開始したことをトリガとして、ＣＰＵ７１は、記憶部７５に記憶された画像データ配信プログラムを読み出してＲＡＭ７３に展開し、ＲＡＭ７３に展開された画像データ配信プログラムとＣＰＵ７１との協働により画像データ配信処理が実行される。以下、各ステップの処理の主体は、特に言及しない限り制御部７１１であるものとする。
【０１６９】
図１９に示すように、先ず、ネットワークバス３２，６０及び通信部７６を介して、ＷＳ３３Ａ又は３３Ｂから画像データを受信する（ステップＳ４１）。そして、ステップＳ４１において受信された画像データの付帯情報が読み出されて、当該付帯情報中の撮影条件、読み取りピッチなどが取得される（ステップＳ４２）。
【０１７０】
そして、付帯情報に対応する書き込みピッチが決定される（ステップＳ４３）。例えば、図５の第１の画像生成処理におけるステップＳ２３と同様にして、画像記録装置１０Ａ，１０Ｂにそれぞれ対応する書き込みピッチ４３．７５［μｍ］，２５［μｍ］から、好適な書き込みピッチが選択されて決定される。
【０１７１】
そして、ステップＳ４３において決定された書き込みピッチが４３．７５［μｍ］であるか否かが判別される（ステップＳ４４）。書き込みピッチが４３．７５［μｍ］である場合（ステップＳ４４；ＹＥＳ）、ステップＳ４１において受信された画像データが、通信部７６及びネットワークバス６０を介して、書き込みピッチ４３．７５［μｍ］に対応する画像記録装置１０Ａに送信され（ステップＳ４５）、画像データ配信処理が終了される。
【０１７２】
書き込みピッチが４３．７５［μｍ］でない場合（ステップＳ４４；ＮＯ）、書き込みピッチが２５［μｍ］であり、ステップＳ４１において受信された画像データが、通信部７６及びネットワークバス６０を介して、書き込みピッチ２５［μｍ］に対応する画像記録装置１０Ｂに送信され（ステップＳ４６）、画像データ配信処理が終了される。
【０１７３】
次いで、図２１を参照して、画像記録装置１０Ａ又は１０Ｂにおいて、管理装置７０から受信する画像データを画像記録する第２の画像記録処理を説明する。
【０１７４】
画像記録装置１０Ａ又は１０Ｂにおいて、ネットワークバス６０及び通信部１６を介して、管理装置７０から画像データを受信開始したことをトリガとして、ＣＰＵ１１は、記憶部１５に記憶された第２の画像記録プログラムを読み出してＲＡＭ１３に展開し、ＲＡＭ１３に展開された第２の画像記録プログラムとＣＰＵ１１との協働により第２の画像記録処理が実行される。以下、各ステップの処理の主体は、特に言及しない限り制御部１１１であるものとする。
【０１７５】
図２１に示すように、先ず、ネットワークバス６０及び通信部１６を介して、管理装置７０から付帯情報を含む画像データが受信される（ステップＳ５１）。そして、ステップＳ５１において受信された画像データが、画像記録部１７で所定の書き込みピッチにより補間されて記録媒体上に記録されるとともに、当該書き込みピッチの値が記録媒体上に記録され（ステップＳ５２）、第２の画像記録処理が終了される。画像記録装置１０Ａにおける所定の書き込みピッチは一般撮影画像に対応する４３．７５［μｍ］である。画像記録装置１０Ｂにおける所定の書き込みピッチはマンモ画像に対応する２５［μｍ］である。
【０１７６】
以上、本実施の形態によれば、画像読取装置２０Ｅ、２０Ｆ，２０Ｇにおいて、所定の読み取りピッチより画像データを入力し、ＷＳ３３Ａ，３３Ｂにおいて、当該画像データに付帯情報を付加し、管理装置７０において、ＷＳ３３Ａ，３３Ｂから受信した画像データの付帯情報に基づいて当該画像データの画像記録に用いる書き込みピッチを決定して、当該決定された書き込みピッチに対応する画像記録装置に画像データを送信し、画像記録装置１０Ａ，１０Ｂにおいて、管理装置から受信した画像データを所定の書き込みピッチにより補間して記録媒体に画像記録するので、複数の読み取りピッチを用いる画像読取装置で読み取られた画像データを、複数の画像記録装置のうちの付帯情報に応じた好適な書き込みピッチの画像記録装置において、所定の書き込みピッチにより画質劣化を低減して画像記録することができる。
【０１７７】
また、画像読取装置を含む画像生成装置と管理装置と画像記録装置とが、ネットワークを介して接続されているので、好適かつ多様な通信接続構成をとることができる。
【０１７８】
なお、位相コントラスト撮影等により被写体を所定の拡大撮影倍率で拡大撮影した画像データを画像読取装置から出力する場合においては、第１の実施の形態で説明したのと同様に、読み取りピッチを拡大撮影倍率で除した値が書き込みピッチの整数倍である読み取りピッチと書き込みピッチの組合せが存在する構成とすることが好ましい。この読み取りピッチと書き込みピッチの組合せが存在する場合には、この組合せの書き込みピッチを画像データの画像記録に用いる書き込みピッチとして決定し、決定された書き込みピッチに対応する画像記録装置を画像記録に用いる装置として決定することが好ましい。
【０１７９】
（第３の実施の形態）
図２２を参照して、本発明に係る第３の実施の形態を説明する。図２２は、本実施の形態の医用画像記録システム３００のブロック構成を示す。
【０１８０】
本実施の形態の装置構成を説明する。図２２に示すように、本実施の形態の医用画像記録システム３００は、画像記録装置１０と、画像読取装置２０Ｅ、２０Ｆ，２０Ｇを含むＣＲネットワーク部３０Ｂと、ＲＩＳ／ＨＩＳ４０と、を備える。また、画像記録装置１０、ＣＲネットワーク部３０Ｂ及びＲＩＳ／ＨＩＳ４０は、ネットワークバス６０に通信接続される。
【０１８１】
本実施の形態では、画像読取装置２０Ｅ，２０Ｆ，２０Ｇそれぞれにおいて２種類の読み取りピッチ８７．５［μｍ］及び５０［μｍ］により画像データの読み取りが可能であり、画像記録装置１０において２種類の書き込みピッチ４３．７５［μｍ］及び２５［μｍ］により画像データの画像記録が可能である構成である。
【０１８２】
次に、医用画像記録システム３００の動作を説明する。先ず、画像読取装置２０Ｅ、２０Ｆ又は２０Ｇにおいて、第２の実施の形態で説明した、図１９に示す第２の画像生成処理が実行される。但し、ステップＳ３５の実行後、ＷＳ３３Ａ又は３３Ｂにおいて、画像データの受信、表示・確認、及び付帯情報の付加後に、付帯情報を含む画像データが、ネットワークバス３２，６０を介して、直接画像記録装置１０へ送信される。他のステップは、同様である。
【０１８３】
そして、画像記録装置１０において、第１の実施の形態で説明した、図６に示す第１の画像記録処理が実行される。但し、ステップＳ２１において、ネットワークバス６０及び通信部１６を介して、画像読取装置２０Ｅから、書き込みピッチを決めるための情報を有する付帯情報を含む画像データを受信する。他のステップは、同様である。
【０１８４】
以上、本実施の形態によれば、画像読取装置２０Ｅ、２０Ｆ，２０Ｇにおいて、複数の読み取りピッチから所定の読み取りピッチを決定し、当該読み取りピッチより画像データを生成し、ＷＳ３３Ａ，３３Ｂにおいて、当該画像データに付帯情報を付加し、画像記録装置１０において、ＷＳ３３Ａ，３３Ｂから受信した画像データの付帯情報に基づいて当該画像データの画像記録に用いる書き込みピッチを決定して当該書き込みピッチにより画像データを補間して記録媒体に画像記録するので、複数の読み取りピッチを用いる画像読取装置で生成された画像データを、複数の書き込みピッチのうちの付帯情報に応じた好適な書き込みピッチにより画質劣化を低減して画像記録することができる。
【０１８５】
位相コントラスト撮影等により被写体を所定の拡大撮影倍率で拡大撮影した画像データを画像読取装置から出力する場合においては、第１の実施の形態で説明したのと同様に、読み取りピッチを拡大撮影倍率で除した値が書き込みピッチの整数倍である読み取りピッチと書き込みピッチの組合せが存在する構成とすることが好ましい。この読み取りピッチと書き込みピッチの組合せが存在する場合には、この組合せの書き込みピッチを画像データの画像記録に用いる書き込みピッチとして決定することが好ましい。
【０１８６】
なお、以上の各実施の形態における記述は、本発明に係る好適な医用画像記録システムの一例であり、これに限定されるものではない。
【０１８７】
上記各実施の形態では、画像生成装置としてＣＴ装置、ＣＲ装置、ＭＲＩ装置を用いたが、これに限るものではなく、ＦＰＤなどの他の方式の患部画像生成装置を用いてもよい。
また、上記各実施の形態では、画像記録装置の画像記録部に光熱銀塩方式のものを用いたが、これに限るものではなく、サーマルヘッドやヒートモードレーザを用いる感熱記録方式、感光性熱現象記録材料や感光熱記録材料を用いる感光熱発色画像記録方式などの他の方式により画像記録を行う構成でもよい。
【図面の簡単な説明】
【０１８８】
【図１】本発明に係る第１の実施の形態の医用画像記録システム１００のブロック構成図である。
【図２】画像記録装置１０の内部のブロック構成図である。
【図３】画像生成装置２０Ａの内部のブロック構成図である。
【図４】読み取りピッチと書き込みピッチとの組み合わせに応じた補間倍率の関係を示す図である。
【図５】画像生成装置２０Ａにおいて実行される第１の画像生成処理を示すフローチャートである。
【図６】画像記録装置１０において実行される第１の画像記録処理を示すフローチャートである。
【図７】２次元画像信号に係る画像補間処理の説明図である。
【図８】１．５倍拡大補間の説明図である。
【図９】補間係数の一例を示す図であり、（ａ）は図８に示す画素ＰＸ１に係る画素データを算出する際の補間係数を示す図であり、（ｂ）は図８に示す画素ＰＸ２に係る画素データを算出する際の補間係数を示す。
【図１０】補間倍率を変化させたときにおける最近接距離のヒストグラムを示す図であり、（ａ）は補間倍率が１．０倍であるときのヒストグラムを示す図であり、（ｂ）は補間倍率が１．５倍であるときのヒストグラムを示す図であり、（ｃ）は補間倍率が１．０００１倍であるときのヒストグラムを示す図である。
【図１１】最近接距離分布が一様の場合における、最近接距離の模式図を示す図であり、（ａ）は注目画素情報が劣化する可能性がある場合を示す図であり、（ｂ）は注目画素情報が劣化する可能性がない場合を示す図である。
【図１２】補間倍率に対する目視による評価結果表を示す図である。
【図１３】図１２に示す官能評価の結果をまとめた図である。
【図１４】好適な読み取りピッチと書き込みピッチとの対応づけを示す図である。
【図１５】書き込みピッチに対する読み取りピッチの補間倍率及びその評価を示す図である。
【図１６】本発明に係る第２の実施の形態の医用画像記録システム２００のブロック構成図である。
【図１７】画像読取装置２０Ｅの内部のブロック構成図である。
【図１８】管理装置７０の内部のブロック構成図である。
【図１９】画像読取装置２０Ｅにおいて実行される第２の画像生成処理を示すフローチャートである。
【図２０】管理装置７０において実行される画像データ配信処理を示すフローチャートである。
【図２１】画像記録装置１０Ａ，１０Ｂにおいて実行される第２の画像記録処理を示すフローチャートである。
【図２２】本発明に係る第３の実施の形態の医用画像記録システム３００のブロック構成図である。
【符号の説明】
【０１８９】
１００，２００，３００  医用画像記録システム
１０，１０Ａ，１０Ｂ  画像記録装置
２０Ａ，２０Ｂ，２０Ｃ  画像生成装置
２０Ｄ，２０Ｅ  画像読取装置
３０  ＣＲネットワーク部
３１  ＪＯＢマネージャ
３２，６０  ネットワークバス
３３  ＷＳ
１１，２１，７１  ＣＰＵ
１１１，２１１，７１１  制御部
１２，２２，７２  操作部
１３，２３，７３  ＲＡＭ
１４，２４，７４  表示部
１５，２５，７５  記憶部
１６，２６，７６  通信部
１７  画像記録部
１８，２８，７７  バス
２７  画像生成部
２９  画像読取部
４０  ＲＩＳ／ＨＩＳ
７０  管理装置
【図１】
2005102189.tif 000003
【図２】
2005102189.tif 000004
【図３】
2005102189.tif 000005
【図４】
2005102189.tif 000006
【図５】
2005102189.tif 000007
【図６】
2005102189.tif 000008
【図７】
2005102189.tif 000009
【図８】
2005102189.tif 000010
【図９】
2005102189.tif 000011
【図１０】
2005102189.tif 000012
【図１１】
2005102189.tif 000013
【図１２】
2005102189.tif 000014
【図１３】
2005102189.tif 000015
【図１４】
2005102189.tif 000016
【図１５】
2005102189.tif 000017
【図１６】
2005102189.tif 000018
【図１７】
2005102189.tif 000019
【図１８】
2005102189.tif 000020
【図１９】
2005102189.tif 000021
【図２０】
2005102189.tif 000022
【図２１】
2005102189.tif 000023
【図２２】
2005102189.tif 000024